(57)【特許請求の範囲】
【請求項１】
複数枚のページ原稿から構成される読取対象原稿から、各ページ原稿単位で原稿データを読み取る読取手段と、
前記読取手段により読み取られた原稿データを送信する送信先の指定を受け付ける指定手段と、
前記読取手段により読み取られた原稿データを、前記指定手段により受け付けた送信先に送信する送信手段と、
前記送信手段により一通信で送信される複数枚のページ原稿からなるセット原稿を送信する際に、当該セット原稿を構成する各ページ原稿に付加された無線タグに対して、前記原稿データの送信先を示す送信相手先情報と、当該原稿データの送信処理に関する日時を示す日時情報と、を当該セット原稿を識別可能な識別情報として夫々書き込む書込手段と、
前記送信相手先情報と、前記日時情報と、を少なくとも含む送信履歴情報を、一通信での送信毎に記憶する履歴記憶手段と、
前記識別情報を、前記読取対象原稿の各ページ原稿に付加された無線タグから夫々取得する取得手段と、
前記履歴記憶手段に記憶されている送信履歴情報のうち、ユーザの操作により指定された送信履歴情報に基づいて、先に一通信で送信されたセット原稿を特定する特定手段と、
前記履歴記憶手段に記憶され、前記特定手段により特定された送信履歴情報の送信相手先情報及び日時情報と、前記取得手段により前記読取対象原稿の無線タグから取得された識別情報における送信相手先情報及び日時情報に基づいて、前記読取対象原稿を構成するページ原稿の組合せが、前記特定手段により特定されたセット原稿の組合せと同一であるか否かを識別する識別手段と、
前記識別手段により、前記読取対象原稿の組合せが、前記特定されたセット原稿の組合せと同一であると識別された場合、当該セット原稿の組合せと同一であると識別された読取対象原稿から前記読取手段により読み取られた原稿データを、前記指定手段により指定を受け付けた送信先に送信するように、前記送信手段を制御する送信制御手段と、を備えることを特徴とする通信装置。
【請求項２】
請求項１に記載の通信装置において、
前記読取対象原稿を構成するページ原稿の枚数を計数する計数手段と、
前記セット原稿を一通信で送信する毎に、当該セット原稿を構成するページ原稿の枚数を示す枚数情報を含む送信履歴情報を前記履歴記憶手段に記録する履歴制御手段と、
種々の情報をユーザに通知する通知手段と、
前記通知手段により通知される通知内容を制御する通知制御手段と、を備え、
前記識別手段は、
前記特定されたセット原稿に係る履歴情報の枚数情報と前記計数手段の計数結果が一致しない場合、当該読取対象原稿の組合せが、前記特定されたセット原稿の組合せと同一でないと識別し、
前記通知制御手段は、
前記識別手段により、読取対象原稿の組合せが前記特定されたセット原稿の組合せと同一でないと識別された場合に、前記特定されたセット原稿の組合せと異なることを通知するように前記通知手段を制御すること、を特徴とする通信装置。
【請求項３】
請求項１又は請求項２に記載の通信装置において、
前記書込手段は、
前記セット原稿を一通信で送信する際に、当該セット原稿を構成するページ原稿に係る原稿データの送信順序を示すページ情報を、各ページ原稿に付加された無線タグに夫々書き込むように構成され、
前記読取対象原稿を構成する対象ページ原稿の無線タグから取得されたページ情報と、前記読取対象原稿を構成し、当該対象ページ原稿の直前に位置する基準ページ原稿のページ情報とに基づいて、対象ページ原稿及び基準ページ原稿の順序が連続しているか否かを判定する連続性判定手段と、を備え、
前記送信制御手段は、
前記識別手段により当該読取対象原稿の組合せが前記特定されたセット原稿の組合せと同一であると識別され、且つ、前記連続性判定手段により、当該読取対象原稿を構成する全てのページ原稿の順序が連続していると判定された場合に、当該セット原稿の組合せと同一であると識別された読取対象原稿から前記読取手段により読み取られた原稿データを送信するように前記送信手段を制御すること、を特徴とする通信装置。
【請求項４】
請求項３に記載の通信装置において、
前記識別手段により当該読取対象原稿の組合せが前記特定されたセット原稿の組合せと同一であると識別され、且つ、前記連続性判定手段により、対象ページ原稿及び基準ページ原稿の順序が連続していると判定された場合、当該対象ページ原稿から原稿データを読み取るように前記読取手段を制御すると共に、
前記識別手段により当該読取対象原稿の組合せが前記特定されたセット原稿の組合せと同一でないと識別された場合、又は、前記連続性判定手段により対象ページ原稿及び基準ページ原稿の順序が連続していないと判定された場合、前記読取対象原稿からの原稿データの読取を停止するように前記読取手段を制御する読取制御手段と、を備えること、を特徴とする通信装置。
【請求項５】
請求項１又は請求項２に記載の通信装置において、
前記書込手段は、
前記セット原稿を一通信で送信する際に、当該セット原稿を構成する各ページ原稿に基づく原稿データの送信順序を示すページ情報を、各ページ原稿に付加された無線タグに夫々書き込むように構成され、
前記識別手段により当該読取対象原稿の組合せが前記特定されたセット原稿の組合せと同一であると識別された場合、前記履歴記憶手段に記憶されている当該セット原稿に係る枚数情報と、当該読取対象原稿から取得されるページ情報に基づいて、当該読取対象原稿が前記特定されたセット原稿を構成する全てのページ原稿を含むか否かを検出する不足原稿検出手段と、を備え、
前記送信制御手段は、
前記不足原稿検出手段によって、当該読取対象原稿が前記特定されたセット原稿を構成する全てのページ原稿を含んでいることを検出した場合、当該セット原稿の組合せと同一であると識別された読取対象原稿から前記読取手段により読み取られた原稿データを送信するように前記送信手段を制御することを特徴とする通信装置。
【請求項６】
請求項５に記載の通信装置において、
前記識別手段により前記読取対象原稿の組合せが前記特定されたセット原稿の組合せと同一であると識別され、且つ、前記不足原稿検出手段により当該読取対象原稿が前記特定されたセット原稿を構成する全てのページ原稿を含んでいることを検出した場合、当該読取対象原稿に係るページ情報に基づいて、当該読取対象原稿を構成するページ原稿が送信順序に従って連続しているか否かを検出する連続性検出手段と、
前記連続性検出手段により当該読取対象原稿を構成するページ原稿が送信順序に従って連続していないと検出された場合、当該読取対象原稿を構成するページ原稿から読み取られた原稿データの送信順序を、各ページ原稿のページ情報に従った送信順序に編集する送信順序編集手段と、を備え、
前記送信制御手段は、
前記送信順序編集手段により編集された送信順序に基づいて、各ページ原稿に係る原稿データを送信するように、前記送信手段を制御することを特徴とする通信装置。
【請求項７】
請求項５又は請求項６に記載の通信装置において、
前記通知制御手段は、
前記不足原稿検出手段により前記特定されたセット原稿を構成するページ原稿の内、前記読取対象原稿から抽出されていないページ原稿が存在することを検出した場合、前記特定されたセット原稿を基準に、当該読取対象原稿において不足しているページ原稿が存在することをユーザに通知するように前記通知手段を制御することを特徴とする通信装置。
【請求項８】
請求項５乃至請求項７の何れかに記載の通信装置において、
前記不足原稿検出手段により前記特定されたセット原稿を構成するページ原稿の内、前記読取対象原稿から抽出されていないページ原稿が存在することを検出した場合、前記特定されたセット原稿を基準に、当該読取対象原稿において不足しているページ原稿を特定する不足原稿特定手段と、を備え、
前記通知制御手段は、
前記不足原稿特定手段によって特定されたページ原稿をユーザに通知するように前記通知手段を制御することを特徴とする通信装置。
【請求項９】
請求項４乃至請求項８の何れかに記載の通信装置において、
前記読取対象原稿に前記特定されたセット原稿以外のページ原稿が含まれている場合、当該読取対象原稿を構成するページ原稿の内、前記特定されたセット原稿を構成するページ原稿に基づく原稿データのみを前記送信手段による送信対象に設定する送信対象設定手段と、を備えることを特徴とする通信装置。
【請求項１０】
請求項１乃至請求項９の何れかに記載の通信装置において、
前記取得手段による識別情報の取得と、読取対象原稿からの原稿データの読取と、を連動して実行するように、前記読取手段及び取得手段を制御する制御手段と、を備えることを特徴とする通信装置。
【請求項１１】
請求項１乃至請求項１０の何れかに記載の通信装置において、
前記セット原稿の組合せと同一であると識別された読取対象原稿から前記読取手段により読み取られた原稿データの前記送信手段による送信の可否をユーザに確認する送信確認手段と、を備えることを特徴とする通信装置。 
【発明の詳細な説明】
【技術分野】
【０００１】
本発明は、原稿から原稿データを読み取る読取手段と、当該原稿データを所望の相手先に送信する送信手段と、を有する通信装置に関し、特に、原稿に付加された無線タグからデータを取得する取得手段を有する通信装置に関する。
【背景技術】
【０００２】
従来、通信装置は、原稿から原稿データ（即ち、画像データ）を読み取り、当該原稿データをユーザ所望の相手先に送信可能に構成されている。そして、近年、通信装置の分野において、原稿データを送信する際の利便性を向上させるために、無線タグを利用した通信装置が発明されている。
【０００３】
このような通信装置の一つとして、特許文献１に記載された通信装置が知られている。当該特許文献１記載の通信装置は、名刺等に付加された無線タグを利用し、ファクシミリ送信時の利便性を向上させている。具体的には、特許文献１記載の通信装置は、名刺等に付加された無線タグから、当該無線タグに書き込まれている相手先情報（例えば、ファクシミリ番号を示す情報）を取得する。そして、特許文献１記載の通信装置は、取得した相手先情報に基づいて、ファクシミリ送信の相手先を特定し、原稿データをファクシミリ送信する。即ち、この特許文献１記載の通信装置は、ファクシミリ送信の相手先に関するユーザの操作を簡略化し、ファクシミリ送信についての利便性を向上させている。
【特許文献１】特開２００５−３４８０２７号公報
【発明の開示】
【発明が解決しようとする課題】
【０００４】
上述したように、上記特許文献１記載の通信装置は、「ファクシミリ送信の相手先の指定操作を簡略化」について、無線タグを活用している。しかしながら、ファクシミリ送信に関する利便性を向上させる上で、無線タグ（即ち、無線タグに書き込まれた情報）を有効活用する方法は、上記特許文献１記載の態様に限られるものではない。即ち、通信装置の分野において、ファクシミリ送信の利便性向上を目的とした無線タグを有効活用する方法は、未だ充分に検討されていなかった。
【０００５】
ここで、ファクシミリ送信を行う際に、ユーザが送信しようとする原稿が、他の原稿と混ざってしまうことがある。この場合には、ユーザは、送信しようとする原稿と他の原稿が混在している多量の原稿から、送信しようとする原稿を探し出さなければ、所望のファクシミリ送信を行うことができない。そして、送信しようとする原稿を探し出すためには、ユーザは、多量の原稿を構成する各ページ原稿の内容を精査しなければならない。つまり、特許文献１記載の通信装置を含む従来の通信装置は、このような場合に、ユーザに非常に煩雑な作業と負担を強いることになり、この点に関する利便性に欠けるという問題点を有している。
【０００６】
具体的には、一度ファクシミリ送信した原稿を再度ファクシミリ送信する必要性が生じた場合、上記のような事態が生じやすい。一般に一度ファクシミリ送信した原稿はその必要性は低くなると考えられるので、ユーザは、当該原稿に対する管理を怠りがちとなる。そうすると、送信後に必要となった当該原稿は、当該原稿周辺にある他の書類（他の原稿を含む）と混ざってしまいやすくなる。従って、このような場合には、上記問題点がさらに顕在化する。
又、次のようなケースも考えられる。別々にファイル等で管理されている書類の中からファクシミリ送信に必要とされる書類のみを選んで一まとまりの原稿として送信した場合、送信後、ユーザは、再度、元のファイルに書類をそれぞれ戻してしまう。同じ原稿のまとまりを再度送信する必要や、コピーする必要が出てきた場合、ユーザは前に選んだ書類を思い出して、原稿を揃えることになる。この場合、揃えた原稿が本当に前回ファクシミリ送信したものかを確認する作業が非常に煩わしいという問題がある。
【０００７】
この点、一度ファクシミリ送信した原稿を再度ファクシミリ送信する必要性が生じた場合については、一つの解決方法が存在する。即ち、先のファクシミリ送信を行う際に、通信装置は、この時に取得した原稿データをメモリに格納しておく。そして、再度ファクシミリ送信する必要が生じた場合、当該通信装置は、メモリに格納されている先に取得された原稿データを送信する。この方法を採用すれば、一度ファクシミリ送信した原稿を再度ファクシミリ送信する必要性が生じた場合における上記問題点を解決し得る。しかしながら、この解決方法では、原稿データを格納するメモリ容量には上限があるため、常に上記問題点を解決することはできない。
【０００８】
本発明は、前記従来における問題点を解消するためになされたものであり、読取手段により読み取られた原稿データを送信可能であり、原稿に付加された無線タグからデータを取得する取得手段を有する通信装置に関し、特に、無線タグから取得したデータを活用し、予め一まとまりの原稿として扱うことが定められている原稿の原稿データを送信する場合の利便性を向上させ得る通信装置を提供することを目的とする。
【課題を解決するための手段】
【０００９】
前記課題を解決するために成された請求項１に係る通信装置は、複数枚のページ原稿から構成される読取対象原稿から、各ページ原稿単位で原稿データを読み取る読取手段と、前記読取手段により読み取られた原稿データを送信する送信先の指定を受け付ける指定手段と、前記読取手段により読み取られた原稿データを、前記指定手段により受け付けた送信先に送信する送信手段と、前記送信手段により一通信で送信される複数枚のページ原稿からなるセット原稿を送信する際に、当該セット原稿を構成する各ページ原稿に付加された無線タグに対して、前記原稿データの送信先を示す送信相手先情報と、当該原稿データの送信処理に関する日時を示す日時情報と、を当該セット原稿を識別可能な識別情報として夫々書き込む書込手段と、前記送信相手先情報と、前記日時情報と、を少なくとも含む送信履歴情報を、一通信での送信毎に記憶する履歴記憶手段と、前記識別情報を、前記読取対象原稿の各ページ原稿に付加された無線タグから夫々取得する取得手段と、前記履歴記憶手段に記憶されている送信履歴情報のうち、ユーザの操作により指定された送信履歴情報に基づいて、先に一通信で送信されたセット原稿を特定する特定手段と、前記履歴記憶手段に記憶され、前記特定手段により特定された送信履歴情報の送信相手先情報及び日時情報と、前記取得手段により前記読取対象原稿の無線タグから取得された識別情報における送信相手先情報及び日時情報に基づいて、前記読取対象原稿を構成するページ原稿の組合せが、前記特定手段により特定されたセット原稿の組合せと同一であるか否かを識別する識別手段と、前記識別手段により、前記読取対象原稿の組合せが、前記特定されたセット原稿の組合せと同一であると識別された場合、当該セット原稿の組合せと同一であると識別された読取対象原稿から前記読取手段により読み取られた原稿データを、前記指定手段により指定を受け付けた送信先に送信するように、前記送信手段を制御する送信制御手段と、を備えることを特徴とする。
【００１０】
ここで、無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称される記録媒体である。
【００１１】
【００１２】
【００１３】
そして、請求項２記載の通信装置は、請求項１に記載の通信装置において、前記読取対象原稿を構成するページ原稿の枚数を計数する計数手段と、前記セット原稿を一通信で送信する毎に、当該セット原稿を構成するページ原稿の枚数を示す枚数情報を含む送信履歴情報を前記履歴記憶手段に記録する履歴制御手段と、種々の情報をユーザに通知する通知手段と、前記通知手段により通知される通知内容を制御する通知制御手段と、を備え、前記識別手段は、前記特定されたセット原稿に係る履歴情報の枚数情報と前記計数手段の計数結果が一致しない場合、当該読取対象原稿の組合せが、前記特定されたセット原稿の組合せと同一でないと識別し、前記通知制御手段は、前記識別手段により、読取対象原稿の組合せが前記特定されたセット原稿の組合せと同一でないと識別された場合に、前記特定されたセット原稿の組合せと異なることを通知するように前記通知手段を制御すること、を特徴とする。
【００１４】
又、請求項３記載の通信装置は、請求項１又は請求項２に記載の通信装置において、前記書込手段は、前記セット原稿を一通信で送信する際に、当該セット原稿を構成するページ原稿に係る原稿データの送信順序を示すページ情報を、各ページ原稿に付加された無線タグに夫々書き込むように構成され、前記読取対象原稿を構成する対象ページ原稿の無線タグから取得されたページ情報と、前記読取対象原稿を構成し、当該対象ページ原稿の直前に位置する基準ページ原稿のページ情報とに基づいて、対象ページ原稿及び基準ページ原稿の順序が連続しているか否かを判定する連続性判定手段と、を備え、前記送信制御手段は、前記識別手段により当該読取対象原稿の組合せが前記特定されたセット原稿の組合せと同一であると識別され、且つ、前記連続性判定手段により、当該読取対象原稿を構成する全てのページ原稿の順序が連続していると判定された場合に、当該セット原稿の組合せと同一であると識別された読取対象原稿から前記読取手段により読み取られた原稿データを送信するように前記送信手段を制御すること、を特徴とする。
【００１５】
そして、請求項４記載の通信装置は、請求項３に記載の通信装置において、前記識別手段により当該読取対象原稿の組合せが前記特定されたセット原稿の組合せと同一であると識別され、且つ、前記連続性判定手段により、対象ページ原稿及び基準ページ原稿の順序が連続していると判定された場合、当該対象ページ原稿から原稿データを読み取るように前記読取手段を制御すると共に、前記識別手段により当該読取対象原稿の組合せが前記特定されたセット原稿の組合せと同一でないと識別された場合、又は、前記連続性判定手段により対象ページ原稿及び基準ページ原稿の順序が連続していないと判定された場合、前記読取対象原稿からの原稿データの読取を停止するように前記読取手段を制御する読取制御手段と、を備えること、を特徴とする。
【００１６】
又、請求項５記載の通信装置は、請求項１又は請求項２に記載の通信装置において、前記書込手段は、前記セット原稿を一通信で送信する際に、当該セット原稿を構成する各ページ原稿に基づく原稿データの送信順序を示すページ情報を、各ページ原稿に付加された無線タグに夫々書き込むように構成され、前記識別手段により当該読取対象原稿の組合せが前記特定されたセット原稿の組合せと同一であると識別された場合、前記履歴記憶手段に記憶されている当該セット原稿に係る枚数情報と、当該読取対象原稿から取得されるページ情報に基づいて、当該読取対象原稿が前記特定されたセット原稿を構成する全てのページ原稿を含むか否かを検出する不足原稿検出手段と、を備え、前記送信制御手段は、前記不足原稿検出手段によって、当該読取対象原稿が前記特定されたセット原稿を構成する全てのページ原稿を含んでいることを検出した場合、当該セット原稿の組合せと同一であると識別された読取対象原稿から前記読取手段により読み取られた原稿データを送信するように前記送信手段を制御することを特徴とする。
【００１７】
そして、請求項６記載の通信装置は、請求項５に記載の通信装置において、前記識別手段により前記読取対象原稿の組合せが前記特定されたセット原稿の組合せと同一であると識別され、且つ、前記不足原稿検出手段により当該読取対象原稿が前記特定されたセット原稿を構成する全てのページ原稿を含んでいることを検出した場合、当該読取対象原稿に係るページ情報に基づいて、当該読取対象原稿を構成するページ原稿が送信順序に従って連続しているか否かを検出する連続性検出手段と、前記連続性検出手段により当該読取対象原稿を構成するページ原稿が送信順序に従って連続していないと検出された場合、当該読取対象原稿を構成するページ原稿から読み取られた原稿データの送信順序を、各ページ原稿のページ情報に従った送信順序に編集する送信順序編集手段と、を備え、前記送信制御手段は、前記送信順序編集手段により編集された送信順序に基づいて、各ページ原稿に係る原稿データを送信するように、前記送信手段を制御することを特徴とする。
【００１８】
又、請求項７記載の通信装置は、請求項５又は請求項６に記載の通信装置において、前記通知制御手段は、前記不足原稿検出手段により前記特定されたセット原稿を構成するページ原稿の内、前記読取対象原稿から抽出されていないページ原稿が存在することを検出した場合、前記特定されたセット原稿を基準に、当該読取対象原稿において不足しているページ原稿が存在することをユーザに通知するように前記通知手段を制御することを特徴とする。
【００１９】
そして、請求項８記載の通信装置は、請求項５乃至請求項７の何れかに記載の通信装置において、前記不足原稿検出手段により前記特定されたセット原稿を構成するページ原稿の内、前記読取対象原稿から抽出されていないページ原稿が存在することを検出した場合、前記特定されたセット原稿を基準に、当該読取対象原稿において不足しているページ原稿を特定する不足原稿特定手段と、を備え、前記通知制御手段は、前記不足原稿特定手段によって特定されたページ原稿をユーザに通知するように前記通知手段を制御することを特徴とする。
【００２０】
又、請求項９記載の通信装置は、請求項４乃至請求項８の何れかに記載の通信装置において、前記読取対象原稿に前記特定されたセット原稿以外のページ原稿が含まれている場合、当該読取対象原稿を構成するページ原稿の内、前記特定されたセット原稿を構成するページ原稿に基づく原稿データのみを前記送信手段による送信対象に設定する送信対象設定手段と、を備えることを特徴とする。
【００２１】
そして、請求項１０記載の通信装置は、請求項１乃至請求項９の何れかに記載の通信装置において、前記取得手段による識別情報の取得と、読取対象原稿からの原稿データの読取と、を連動して実行するように、前記読取手段及び取得手段を制御する制御手段と、を備えることを特徴とする。
【００２２】
又、請求項１１記載の通信装置は、請求項１乃至請求項１０の何れかに記載の通信装置において、前記セット原稿の組合せと同一であると識別された読取対象原稿から前記読取手段により読み取られた原稿データの前記送信手段による送信の可否をユーザに確認する送信確認手段と、を備えることを特徴とする。 
【発明の効果】
【００２３】
請求項１記載の通信装置は、前記読取対象原稿に含まれる特定されたセット原稿を送信する場合、読取対象原稿を構成するページ原稿に付加された無線タグから識別情報を取得する。そして、当該通信装置は、識別情報に基づいて、当該読取対象原稿が特定されたセット原稿、即ち、予め一まとまりの原稿として扱うことが定められている原稿を構成するページ原稿の組合せであるか否かを識別する。そして、当該読取対象原稿が特定されたセット原稿を構成するページ原稿の組合せであると識別された場合に、当該通信装置は、読取対象原稿に基づく原稿データを所定の相手先に送信する。つまり、読取対象原稿が特定されたセット原稿を構成するページ原稿の組合せであるか否かが自動的に判断されるので、当該通信装置は、ユーザが自ら読取対象原稿を精査する作業に基づく負担を軽減し得る。又、読取対象原稿が特定されたセット原稿を構成するページ原稿の組合せである場合には、そのまま当該読取対象原稿に基づく原稿データを送信するので、当該通信装置は、ユーザに再度の送信作業を強いることはなく、特定されたセット原稿に対応する原稿データを送信し得る。
【００２４】
又、当該通信装置は、セット原稿を一通信で送信する際に、書込手段によって、当該セット原稿を構成する各ページ原稿の無線タグに、当該セット原稿を識別可能な識別情報を書き込む。そして、当該通信装置は、先の一通信による送信に際して書き込まれた識別情報に基づいて、読取対象原稿の組合せが前記特定されたセット原稿の組合せと同一であるかを識別する。当該通信装置は、読取対象原稿の組合せが前記特定されたセット原稿の組合せと同一である場合に、当該読取対象原稿に基づく原稿データを送信する。ここで、先に一通信で送信された前記特定されたセット原稿を再度送信する場合は、当該セット原稿と他の原稿とが読取対象原稿に混在しやすい状況が想定される。当該通信装置は、この場合においても前記識別手段による適切な判断を行うので、読取対象原稿を精査する作業に関するユーザの負担を軽減し得る。又、読取対象原稿と前記特定されたセット原稿の組合せが同一の場合に、そのまま当該読取対象原稿に基づく原稿データを送信するので、当該通信装置は、ユーザに再度の送信作業を強いることはなく、先に送信された前記特定されたセット原稿に基づく原稿データを送信し得る。
【００２５】
更に、当該通信装置は、セット原稿を一通信で送信する毎に、送信相手先情報、日時情報を少なくとも含む送信履歴情報を履歴記憶手段に記憶する。又、当該通信装置は、当該セット原稿を一通信で送信する際に、識別情報として、送信相手先情報、日時情報を当該セット原稿の各無線タグに書き込む。つまり、或るセット原稿の送信に関する送信履歴情報の送信相手先情報、日時情報は、当該セット原稿に係る識別情報に含まれる送信相手先情報、日時情報と同一内容となる。そして、当該通信装置は、送信履歴情報における送信相手先情報、日時情報と、読取対象原稿の識別情報に含まれる送信相手先情報、日時情報を比較して、読取対象原稿の組合せが前記特定されたセット原稿の組合せと同一であるか否かを識別する。従って、当該通信装置は、読取対象原稿の組合せが前記特定されたセット原稿の組合せと同一であるか否かを、より高精度で識別し得る。
【００２６】
請求項２記載の通信装置は、計数手段の計数結果と、前記特定されたセット原稿に係る枚数情報の内容が一致しない場合、識別手段により、当該読取対象原稿の組合せが前記特定されたセット原稿の組合せと同一でないと識別する。従って、当該通信装置は、更に精度良く、読取対象原稿の組合せが前記特定されたセット原稿の組合せと同一であるか否かを識別し得る。
又、当該通信装置は、計数手段の計数結果と送信履歴情報の枚数情報が一致しない場合、通知手段を制御することで、当該読取対象原稿の組合せが、前記特定されたセット原稿の組合せと異なることをユーザに通知する。ここで、計数手段の計数結果と送信履歴情報の枚数情報が一致しない場合とは、読取対象原稿に前記特定されたセット原稿以外の他の原稿が含まれている場合、読取対象原稿において、前記特定されたセット原稿を構成するページ原稿が不足している場合である。従って、ユーザは、通知手段による通知に基づいて、適切な対応（例えば、読取対象原稿からの上記他の原稿の除去や、不足している前記特定されたセット原稿を構成するページ原稿の追加等）をとり得る。
【００２７】
請求項３記載の通信装置は、読取対象原稿において、前記特定されたセット原稿におけるページ原稿の組合せ及び順序が完全に一致した場合に、当該読取対象原稿に基づく原稿データを送信する。これにより、当該通信装置は、ユーザが所望する「前記特定されたセット原稿と同一の態様」の原稿データを、確実に所定の相手先に送信し得る。
【００２８】
請求項４記載の通信装置は、読取対象原稿において、前記特定されたセット原稿を構成するページ原稿のページ順が連続している場合のみ、当該読取対象原稿からの原稿データの読取を継続する。そして、読取対象原稿に他の原稿が含まれていた場合やページ順序が不連続であった場合、当該通信装置は、その時点で原稿データの読取を停止する。この結果、ユーザは、原稿データの読取停止に基づいて、読取対象原稿が前記特定されたセット原稿と同じ態様で送信できないことを把握することができる。そして、ユーザは、当該把握に基づいて、適切な措置を講じることができる。
【００２９】
請求項５記載の通信装置は、セット原稿を一通信で送信する際に、当該セット原稿を構成する各ページ原稿に付加された無線タグにページ情報を夫々書き込む。そして、当該通信装置は、読取対象原稿の組合せが前記特定されたセット原稿の組合せと同一であると識別された場合、読取対象原稿を構成するページ原稿の無線タグから取得されたページ情報と、前記特定されたセット原稿に係る枚数情報に基づいて、当該読取対象原稿が前記特定されたセット原稿を構成する全てのページ原稿を含むか否かを検出する。当該通信装置は、当該読取対象原稿が前記特定されたセット原稿を構成する全てのページ原稿を含んでいる場合に、当該読取対象原稿に基づく原稿データを送信する。即ち、当該通信装置は、前記特定されたセット原稿におけるページ原稿の順序を考慮することなく、読取対象原稿とした場合であっても、前記特定されたセット原稿を構成する全てのページ原稿に基づく原稿データを送信し得る。
【００３０】
請求項６記載の通信装置は、読取対象原稿が前記特定されたセット原稿を構成する全てのページ原稿を含み、且つ、当該読取対象原稿が送信順序に従って連続していない場合、読取対象原稿を構成する各ページ原稿から読み取られた原稿データの送信順序を前記ページ情報に従った送信順序に編集して、当該原稿データを送信する。従って、当該通信装置は、前記特定されたセット原稿におけるページ原稿の順序を考慮することなく、読取対象原稿とした場合であっても、前記特定されたセット原稿を構成する全てのページ原稿に基づく原稿データを、前記特定されたセット原稿送信時と同じ順序で送信し得る。つまり、当該通信装置は、読取対象原稿を構成するページ原稿をページ順にセットする作業を省略し得る。
【００３１】
請求項７記載の通信装置は、前記特定されたセット原稿を構成するページ原稿の内、前記読取対象原稿から抽出されていないページ原稿が存在することを検出した場合、前記特定されたセット原稿を基準に、当該読取対象原稿において不足しているページ原稿が存在することをユーザに通知する。これにより、ユーザは、先に一通信で送信された前記特定されたセット原稿と同一態様で送信することができないことを把握し、不足しているページ原稿を読取対象原稿に追加することができる。
【００３２】
請求項８記載の通信装置は、前記特定されたセット原稿を構成するページ原稿の内、前記読取対象原稿から抽出されていないページ原稿が存在することを検出した場合、前記特定されたセット原稿を基準に、当該読取対象原稿において不足しているページ原稿をユーザに通知する。これにより、ユーザは、不足している特定のページ原稿を把握することができる。従って、ユーザは、より容易に不足しているページ原稿を読取対象原稿に追加し得る。
【００３３】
請求項９記載の通信装置は、読取対象原稿に前記特定されたセット原稿以外のページ原稿が含まれている場合、当該読取対象原稿を構成するページ原稿の内、前記特定されたセット原稿を構成するページ原稿に基づく原稿データのみを前記送信手段による送信対象に設定する。つまり、当該通信装置は、読取対象原稿に前記特定されたセット原稿以外のページ原稿が含まれている場合でも、前記特定されたセット原稿に係る原稿データのみを送信する。この結果、前記特定されたセット原稿以外のページ原稿に基づく情報が意図せずに第三者に送信されることはないので、当該通信装置は、適切な情報管理を行い得る。
【００３４】
請求項１０記載の通信装置は、前記取得手段による識別情報の取得と、読取対象原稿からの原稿データの読取と、を連動して実行する。つまり、取得手段によって識別情報を取得した後、識別手段による識別を行うので、当該通信装置は、識別手段による識別を完了した時点で、読取手段による原稿データの読取を完了している。この結果、識別手段による識別結果が原稿データの送信を許可するものであれば、当該通信装置は、即座に原稿データを所定の相手先に送信し得る。つまり、当該通信装置は、送信作業に要する時間を短縮することができ、更に、原稿データの送信に関する作業効率を向上させ得る。
【００３５】
請求項１１記載の通信装置は、送信確認手段により、前記送信手段による読取対象原稿に基づく原稿データの送信の可否をユーザに確認する。当該通信装置は、原稿データを送信する前に、当該原稿データの送信の可否をユーザに確認するので、ユーザが意図せず、原稿データを送信してしまうことを防止し得る。
【発明を実施するための最良の形態】
【００３６】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。
図１に示すように、ファクシミリ装置１は、自動原稿送り装置２と、スキャナ部３と、プリンタ部４と、給紙トレイ部５とを有する。
【００３７】
スキャナ部３は、無線タグリーダ１５と、無線タグライタ１６と、スキャナ装置２２とを備えている。無線タグリーダ１５は、自動原稿送り装置２により送られてきた原稿（例えば、送信原稿６１（図３参照）等）に無線タグ６２が付加されていた場合、無線によりその無線タグ６２からデータ（後述する識別データ等）を読み出す。無線タグライタ１６は、前記原稿に付加された無線タグ６２に対し、無線によりデータ（後述する識別データ等）を書き込む。また、スキャナ装置２２は、無線タグ６２の有無に関わらず、自動原稿送り装置２により送られる原稿の原稿データとして、画像データを読み取る。
【００３８】
プリンタ部４は、レーザプリンタ３０を有して構成されている。レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。
【００３９】
給紙トレイ部５は、第１給紙トレイ５１、第２給紙トレイ５２、第３給紙トレイ５３を備えている。そして、第１給紙トレイ５１〜第３給紙トレイ５３には、夫々、検出センサ５４が配設されている。この検出センサ５４は、第１給紙トレイ５１〜第３給紙トレイ５３の夫々に収納された記録用紙における無線タグの有無等を検出する。
【００４０】
次に、本実施形態に係るファクシミリ装置１の制御系構成について、図面を参照しつつ詳細に説明する。図２は、ファクシミリ装置１の制御系構成を示すブロック図である。
ファクシミリ装置１には、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００４１】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行する。ＲＯＭ１２は、このファクシミリ装置１で実行される制御プログラムを格納した書換不能なメモリである。当該ＲＯＭ１２には、後述するメイン制御処理プログラム（図６参照）、セット原稿登録送信処理プログラム（図８参照）、ページ順チェック送信処理プログラム（図１２参照）、ページ順非チェック送信処理プログラム（図１５参照）等の各種制御プログラムが格納されている。
【００４２】
ＲＡＭ１３は、ファクシミリ装置１の各動作の実行時に、各種のデータを一時的に記憶するためのメモリである。例えば、ＲＡＭ１３は、後述するページ順チェック処理プログラム（図１２参照）及びページ順非チェック送信処理プログラム（図１５参照）における一致回数加算処理（Ｓ２９、Ｓ４７）において、一致回数の計数結果を一時的に記憶する。
【００４３】
又、当該ＲＡＭ１３は、送信ファクシミリデータ記憶エリア１３１、受信ファクシミリデータ記憶エリア１３２を備えている。送信ファクシミリデータ記憶エリア１３１は、スキャナ装置２２により読み取られた原稿の画像データにより構成される原稿データが格納される記憶エリアである。そして、受信ファクシミリデータ記憶エリア１３２は、他のファクシミリ装置１から受信した原稿データが一時的に格納される記憶エリアである。
【００４４】
フラッシュメモリ１４は、書換可能な不揮発性のメモリである。そして、フラッシュメモリ１４は、送信履歴記憶エリア１４１、電話帳データ記憶エリア１４２を有している。
送信履歴記憶エリア１４１には、ファクシミリ送信に関する詳細を示す送信履歴データが記憶される。本実施形態において、送信履歴記憶エリア１４１に記憶される送信履歴データは、送信先データと、日時データと、枚数データとにより構成される（図１０参照）。この送信履歴データの詳細な内容については、後に詳細に説明する。
【００４５】
そして、電話帳データ記憶エリア１４２は、ファクシミリ送信や通話の相手先（例えば、相手先装置）を識別可能し得る相手先データ（例えば、電話番号やファクシミリ番号等）を記憶する記憶エリアである。尚、当該ファクシミリ装置１において、ユーザは、電話帳データ記憶エリア１４２に記憶されている相手先データを用いて、ファクシミリ送信時や通話時における相手先への発呼が可能である。
【００４６】
そして、図２に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、検出センサ５４、操作パネル１７、ＬＣＤ１８、及びアンプ２７を備えている。尚、これらの周辺装置も、バスライン２５を介して相互に接続されている。
【００４７】
無線タグリーダ１５は、上述したように、原稿の無線タグに格納されているデータ（例えば、後述する識別データ等）を読み出す装置である。そして、無線タグライタ１６は、無線タグに対して、データ（例えば、後述する識別データ等）を書き込む装置である。
【００４８】
そして、ＮＣＵ１９は、交換機２９に対し回線の接続・切断等の通信制御処理を行う装置である。モデム２０は、原稿データを変調・復調して伝送すると共に伝送制御用の各種手順信号を送受信する装置である。バッファ２１は、相手側ファクシミリ装置との間で送受信を行う際に、符号化された原稿データを含むデータを一時的に格納する記憶手段である。
【００４９】
スキャナ装置２２は、上述したように、スキャナ部３の一部を構成する。そして、当該スキャナ装置２２は、原稿載置部２Ａからページ単位で送られる原稿を読み取り、ページ単位の画像データを生成する。スキャナ装置２２により読み取られた画像データは、後にファクシミリ送信される原稿データを構成する。そして、スキャナ装置２２で読み取られた画像データは、送信ファクシミリデータ記憶エリア１３１に格納される。
【００５０】
符号化部２３は、ファクシミリ送信の実行に際し、原稿データを符号化する部分である。そして、復号化部２４は、バッファ２１に記憶された受信データを読み出し、これを復号化する部分である。
【００５１】
レーザプリンタ３０は、上述したように、第１給紙トレイ５１〜第３給紙トレイ５３に格納された記録用紙に対して、復号化部２４で復号化された画像データを印刷する装置である。
そして、検出センサ５４は、第１給紙トレイ５１〜第３給紙トレイ５３に配設されており、各給紙トレイに格納された記録用紙における無線タグの有無を検出するセンサである。
【００５２】
操作パネル１７は、複数のキーで構成された操作部である。当該操作パネル１７は、複数の数字キーやカーソルキー及び上述したスタートキー等を備えている。この操作パネル１７を構成する各キーの操作が行われると、入力信号がＣＰＵ１１に送信され、入力信号に基づく制御が行われる。例えば、当該操作パネル１７は、ファクシミリ送信に際し、送信モードを選択設定する際（Ｓ１）や、ファクシミリ送信の相手先番号（即ち、ファクシミリ番号）を入力する際（Ｓ１１、Ｓ２１、Ｓ４１）に用いられる。又、当該操作パネル１７は、ページ順チェック処理プログラム（図１２参照）、ページ順非チェック送信処理プログラム（図１５参照）において、ファクシミリ送信を実行するか否か等を選択する際に用いられる。
【００５３】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８には、ＦＡＸ送信履歴一覧画面（図１０参照）が、送信履歴記憶エリア１４１の記憶内容に基づいて表示される。又、ＬＣＤ１８は、後述する送信モード設定画面（図７参照）、エラー通知画面（図１３、図１４参照）、抽出結果通知画面（図１６、図１７参照）を表示する。
又、アンプ２７には、スピーカ２８が接続され、呼出音などをこのスピーカ２８から出力する。
【００５４】
更に、ファクシミリ装置１は、ＮＣＵ１９、電話回線４１を介して、交換機２９に接続されている。この交換機２９は、電話回線４２を介して、相手先装置側の交換機（図示せず）に接続され、更に電話回線（図示せず）を介して相手先装置（図示せず）に接続されている。従って、ファクシミリ装置１は、電話回線４１、交換機２９、電話回線４２等を介して、相手先装置に対する原稿データのファクシミリ送信を行うことができる。
【００５５】
次に、本実施形態に係るファクシミリ装置１で利用される送信原稿６１の構成について、図面を参照しつつ詳細に説明する。図３は、送信原稿６１の構成に関する説明図である。
本実施形態に係るファクシミリ装置１で利用される送信原稿６１には、ファクシミリ送信の対象となるユーザ所望の内容が印刷されている。従って、送信原稿６１の印刷内容をスキャナ装置２２で読み取ることにより、ファクシミリ装置１は、送信原稿６１の内容に対応する原稿データを生成し得る。
【００５６】
そして、当該送信原稿６１には、後述する無線タグ６２が付加されている。後述するセット原稿登録送信処理プログラム（図８参照）に基づいて、当該送信原稿６１をファクシミリ送信すると、後述する識別データが当該送信原稿６１に付加されている無線タグ６２に書き込まれる。
【００５７】
次に、ファクシミリ装置１によるファクシミリ送信を行う際の送信原稿６１に対する動作について説明する。
先ず、ユーザは、送信原稿６１（送信原稿６１の枚数は問わない）を原稿載置部２Ａにセットし、相手先等の条件を指定した上で、操作パネル１７のスタートキー（図示せず）を操作する。スタートキーの入力が入力されると、原稿載置部２Ａにセットされた送信原稿６１は、自動原稿送り装置２により、一ページ単位でスキャナ部３の読取位置に搬送される。
【００５８】
ここで、スキャナ部３のスキャナ装置２２に対し相対移動する送信原稿６１の移動経路には、無線タグリーダ１５によるデータ読出位置及び無線タグライタ１６によるデータ書込位置が設けられている（図１参照）。従って、自動原稿送り装置２により、送信原稿６１がスキャナ装置２２の読取位置へ移動する過程で、無線タグライタ１６は、当該送信原稿６１に付加された無線タグに対して、データ（例えば、後述する識別データ）を書き込むことができる。同様に、送信原稿６１がスキャナ装置２２の読取位置に移動する過程で、無線タグリーダ１５は、当該送信原稿６１に付加された無線タグ６２に格納されているデータ（例えば、後述する識別データ）を読み出すことができる。
【００５９】
この結果、当該ファクシミリ装置１は、スキャナ装置２２による送信原稿６１の画像データの読取とほぼ同時に、無線タグライタ１６によって、送信原稿６１に付加された無線タグ６２に対するデータの書込を行うことができる。同様に、当該ファクシミリ装置１は、送信原稿６１の画像データの読取とほぼ同時に、無線タグリーダ１５によって、無線タグ６２からのデータの読取を行うことができる。
【００６０】
次に、本実施形態に係る無線タグ６２、無線タグリーダ１５、無線タグライタ１６の構成について、図面を参照しつつ詳細に説明する。
【００６１】
先ず、無線タグ６２の構成について説明する。図４に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７を備えている。
アンテナ用コイル６２１は、共振コンデンサ６２２と並列に接続されて共振回路を構成し、無線タグリーダ１５又は無線タグライタ１６から送信される所定の高周波数の電力用電波振動を受信して、電力用電波信号を整流・平滑回路６２３に供給する。
【００６２】
整流・平滑回路６２３は、動力用電源回路を構成する回路である。そして、整流・平滑回路６２３は、共振回路から送信されてきた電力用電波信号を整流・平滑化して一定電圧の直流電力にしてＣＰＵ６２５等に供給する。
【００６３】
尚、無線タグリーダ１５又は無線タグライタ１６からの送信信号は、電力用電波信号に重畳して送信される。そして、当該送信信号は、変復調回路６２４により復調され、ＣＰＵ６２５に与えられる。
【００６４】
ＣＰＵ６２５は、ＲＯＭ６２６に記憶された動作プログラムに従って動作し、変復調回路６２４からの信号に応じた所定の処理を実行する。即ち、ＣＰＵ６２５は、受信したデータ（例えば、後述する識別データ）をＥＥＰＲＯＭ６２７に書き込む書込処理や、ＥＥＰＲＯＭ６２７に格納されているデータ（例えば、後述する識別データ）を読み出し、変復調回路６２４により変調した後、アンテナ用コイル６２１により電波信号として送信する読出処理等を実行する。
【００６５】
尚、当該無線タグ６２において、整流・平滑回路６２３、変復調回路６２４、ＣＰＵ６２５、ＲＯＭ６２６、ＥＥＰＲＯＭ６２７は、ＩＣチップとされ、アンテナ用コイル６２１、共振コンデンサ６２２と共に記録用紙に埋め込まれている。
【００６６】
次に、本実施形態に係る無線タグリーダ１５、無線タグライタ１６の構成について、図面を参照しつつ詳細に説明する。図５は、無線タグリーダ１５、無線タグライタ１６の構成を示すブロック図である。
【００６７】
図５に示すように、無線タグリーダ１５は、受信アンテナ用コイル１５１と、受信部１５２を備えて構成されている。従って、無線タグリーダ１５は、無線タグ６２から送信された電波信号を受信アンテナ用コイル１５１で受信できる。そして、無線タグリーダ１５は、受信アンテナ用コイル１５１で受信した電波信号を受信部１５２で復調する。これにより、無線タグリーダ１５は、無線タグ６２からデータ（例えば、識別データ）を読み出し得る。
【００６８】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信できる。更に、無線タグライタ１６は、送信すべきデータを電力用電波信号に重畳するように送信部１６２で変調して送信アンテナ用コイル１６１から送信できる。これにより、無線タグライタ１６は、無線タグ６２にデータ（例えば、識別データ）を書き込み得る。
【００６９】
次に、本実施形態に係るファクシミリ装置１で実行されるメイン制御プログラムについて、図面を参照しつつ詳細に説明する。図６は、本実施形態に係るメイン制御プログラムのフローチャートである。このメイン制御プログラムに基づく処理は、ファクシミリ装置１の起動中において繰り返し実行される。又、当該メイン制御プログラムの説明に際し、ファクシミリ装置１の原稿載置部２Ａには、ファクシミリ送信の対象となる原稿が載置されているものとする。尚、ファクシミリ送信の対象となる原稿としては、図３に示す送信原稿６１の他、無線タグ６２が付加されていない原稿も用い得る。
【００７０】
メイン制御プログラムの実行が開始されると、先ず、ＣＰＵ１１は、送信モード設定処理（Ｓ１）を実行する。送信モード設定処理（Ｓ１）は、当該ファクシミリ装置１によるファクシミリ送信の態様を、ユーザが任意に選択設定する処理である。具体的には、ＣＰＵ１１は、先ず、ＬＣＤ１８に、送信モード設定画面（図７参照）を表示する。
【００７１】
図７に示すように、ＬＣＤ１８は、送信モード設定画面において、４つの選択肢を表示する。この４つの選択肢は、「セット原稿登録送信モード」、「セット原稿確認送信モード」「通常送信モード」「送信詳細設定モード」である。そして、ＬＣＤ１８は、送信モード設定画面において、「セット原稿確認送信モード」の詳細な設定に関する２つの選択肢（即ち、「ページ順チェック」「ページ順非チェック」）を表示する。
【００７２】
そして、ユーザは、当該送信モード設定画面（図７参照）を視認しつつ、操作パネル１７を操作し、ファクシミリ送信に関して所望の送信態様を選択する。これにより、送信モード設定処理（Ｓ１）において、ユーザは、以後に行うファクシミリ送信の態様を所望の態様に設定し得る。操作パネル１７によるユーザの操作に基づいて、ＣＰＵ１１は、ユーザの選択結果をＲＡＭ１３に格納し、送信モード設定処理を終了する。送信モード設定処理（Ｓ１）を終了すると、ＣＰＵ１１は、Ｓ２に処理を移行する。
【００７３】
Ｓ２に移行すると、ＣＰＵ１１は、送信モード設定処理（Ｓ１）により、「セット原稿登録送信モード」が設定されているか否かを判断する。具体的には、ＣＰＵ１１は、ＲＡＭ１３に格納された選択結果を参照し、Ｓ２の判断を行う。「セット原稿登録送信モード」が選択設定されている場合（Ｓ２：ＹＥＳ）、ＣＰＵ１１は、Ｓ３に処理を移行する。一方、「セット原稿登録送信モード」が選択設定されていない場合（Ｓ２：ＮＯ）、ＣＰＵ１１は、Ｓ４に処理を移行する。
【００７４】
Ｓ３では、ＣＰＵ１１は、セット原稿登録送信処理を実行する。このセット原稿登録送信処理（Ｓ３）では、ＣＰＵ１１は、セット原稿登録送信処理プログラム（図８参照）を実行する。即ち、ＣＰＵ１１は、原稿載置部２Ａに載置されている送信原稿６１を、セット原稿登録送信処理プログラム（図８参照）に基づいて、ユーザ所望の送信相手先に対するファクシミリ送信を行う。このとき、ＣＰＵ１１は、ファクシミリ送信の対象である各送信原稿６１の無線タグ６２に、後述する識別データを書き込む。このセット原稿登録送信処理（Ｓ３）の詳細については、後に図面を参照しつつ詳細に説明する。セット原稿登録送信処理（Ｓ３）を終了すると、ＣＰＵ１１は、そのままメイン制御プログラムを終了する。この場合、ＣＰＵ１１は、再度メイン制御プログラムの実行を開始する。
【００７５】
尚、本実施形態においては、セット原稿登録送信処理（Ｓ３）に基づいて、一通信で送信された送信原稿６１を「セット原稿」という。このセット原稿は、複数枚の無線タグ６２により構成されているものとする。この点、当該セット原稿は、一枚の送信原稿６１で構成されていてもよい。
【００７６】
Ｓ４に移行すると、ＣＰＵ１１は、送信モード設定処理（Ｓ１）により、「セット原稿確認送信モード」が設定されているか否かを判断する。具体的には、ＣＰＵ１１は、ＲＡＭ１３に格納された選択結果を参照し、Ｓ４の判断を行う。「セット原稿確認送信モード」が選択設定されている場合（Ｓ４：ＹＥＳ）、ＣＰＵ１１は、Ｓ５に処理を移行する。一方、「セット原稿確認送信モード」が選択設定されていない場合（Ｓ４：ＮＯ）、ＣＰＵ１１は、Ｓ８に処理を移行する。尚、本実施形態において、Ｓ８に移行する場合は、「通常送信モード」又は「送信詳細設定モード」が選択されている場合である。
【００７７】
Ｓ５においては、ＣＰＵ１１は、送信モード設定処理（Ｓ１）により、「セット原稿登録送信モード」の詳細として「ページ順チェック」が設定されているか否かを判断する。具体的には、ＣＰＵ１１は、ＲＡＭ１３に格納された選択結果を参照し、Ｓ５の判断を行う。「ページ順チェック」が選択設定されている場合（Ｓ５：ＹＥＳ）、ＣＰＵ１１は、ページ順チェック送信処理（Ｓ６）に処理を移行する。一方、「ページ順非チェック」が選択設定されている場合（Ｓ５：ＮＯ）、ＣＰＵ１１は、ページ順非チェック送信（Ｓ７）に処理を移行する。
【００７８】
Ｓ６では、ＣＰＵ１１は、ページ順チェック送信処理を実行する。このページ順チェック送信処理（Ｓ６）では、ＣＰＵ１１は、ページ順チェック送信処理プログラムを実行する。即ち、ページ順チェック送信処理（Ｓ６）により、セット原稿登録送信処理（Ｓ３）で送信された原稿（つまり、セット原稿）が、先の送信時と同一のページ順で所定の送信相手先に送信される。ページ順チェック送信処理（Ｓ６）を終了すると、ＣＰＵ１１は、そのままメイン制御プログラムを終了する。この場合、ＣＰＵ１１は、再度メイン制御プログラムの実行を開始する。尚、ページ順チェック送信処理プログラムの詳細については後に図面を参照して説明する。
【００７９】
一方、Ｓ７においては、ＣＰＵ１１は、ページ順非チェック送信処理を実行する。このページ順非チェック送信処理（Ｓ７）では、ＣＰＵ１１は、ページ順非チェック送信処理プログラムを実行する。即ち、ページ順非チェック送信処理（Ｓ７）により、前記セット原稿と同一のページ原稿が所定の送信相手先に送信される。この点、当該ページ順非チェック送信処理（Ｓ７）においては、先の送信時におけるページ順と同一順序であるか否かは考慮されない。ページ順非チェック送信処理（Ｓ７）を終了すると、ＣＰＵ１１は、そのままメイン制御プログラムを終了する。この場合も、ＣＰＵ１１は、再度メイン制御プログラムの実行を開始する。尚、ページ順非チェック送信処理プログラムの詳細については、後に図面を参照して説明する。
【００８０】
そして、送信モード設定処理（Ｓ１）で「通常送信モード」又は「送信詳細設定モード」が選択された場合（Ｓ２：ＮＯ、Ｓ４：ＮＯ）、ＣＰＵ１１は、その他の処理（Ｓ８）を実行する。当該その他の処理（Ｓ８）では、ＣＰＵ１１は、送信モード設定処理（Ｓ１）による設定内容に応じて、種々の処理を実行する。
例えば、「通常送信モード」が設定されている場合には、ＣＰＵ１１は、通常のファクシミリ送信に関する処理を行う。即ち、ＣＰＵ１１は、無線タグ６２に対するデータの取得・書込を行うことなく、原稿データを取得し、当該原稿データを所定の送信相手先に送信する。又、「送信詳細設定モード」が設定されている場合、ファクシミリ送信に係る詳細設定に関する処理を行う。この場合、ＣＰＵ１１は、操作パネル１７によるユーザの操作に基づいて、送信する原稿データの画質等の詳細設定を行う。その他の処理（Ｓ８）を終了すると、ＣＰＵ１１は、そのままメイン制御プログラムを終了する。この場合も、ＣＰＵ１１は、再度メイン制御プログラムの実行を開始する。
【００８１】
次に、本実施形態に係るセット原稿登録送信処理プログラムについて、図面を参照しつつ詳細に説明する。図８は、セット原稿登録送信処理プログラムのフローチャートである。上述したように、セット原稿登録送信処理プログラムは、セット原稿登録送信処理（Ｓ３）で、ＣＰＵ１１により実行される。
【００８２】
セット原稿登録送信処理（Ｓ３）に移行すると、ＣＰＵ１１は、先ず、送信先入力処理を実行する（Ｓ１１）。この送信先入力処理（Ｓ１１）では、ユーザは、操作パネル１７を操作し、原稿載置部２Ａに載置された送信原稿６１の送信先（例えば、ファクシミリ番号）を入力する。ＣＰＵ１１は、操作パネル１７からの入力信号に基づく送信先データをＲＡＭ１３に格納する。当該送信先データをＲＡＭ１３に格納した後、ＣＰＵ１１は、原稿データ読取処理（Ｓ１２）に処理を移行する。
【００８３】
Ｓ１２に移行すると、ＣＰＵ１１は、原稿データ読取処理を実行する。この原稿データ読取処理（Ｓ１２）においては、ＣＰＵ１１は、原稿載置部２Ａに載置されている送信原稿６１から、１ページ分の送信原稿６１をスキャナ部３により読み取る。そして、ＣＰＵ１１は、読み取った画像データを１ページ分の原稿データとして、送信ファクシミリデータ記憶エリア１３１に格納する。又、ＣＰＵ１１は、原稿載置部２Ａに載置されている送信原稿６１の１ページ目に対する原稿データ読取処理（Ｓ１２）を実行した場合、１ページ目の送信原稿６１の読取日時を日時データとしてＲＡＭ１３に格納する。送信ファクシミリデータ記憶エリア１３１に１ページ分の原稿データを格納した後、ＣＰＵ１１は、Ｓ１３に処理を移行する。
【００８４】
Ｓ１３では、ＣＰＵ１１は、識別データ書込処理を実行する。この識別データ書込処理（Ｓ１３）においては、ＣＰＵ１１は、原稿データ読取処理（Ｓ１２）で読み取られた１ページ分の送信原稿６１に付加された無線タグ６２に対して、無線タグライタ１６により識別データを書き込む。当該送信原稿６１の無線タグ６２に識別データを書き込んだ後、ＣＰＵ１１は、Ｓ１４に処理を移行する。
【００８５】
ここで、識別データ書込処理（Ｓ１３）で無線タグ６２に書き込まれる識別データについて、図面を参照しつつ説明する。図９は、無線タグ６２に書き込まれた識別データの内容に関する説明図である。
図９に示すように、識別データは、送信先データと、日時データと、ページ番号データとにより構成されている。送信先データは、当該送信原稿６１に基づくファクシミリ送信の送信相手先を示すデータである。当該送信先データは、送信先入力処理（Ｓ１１）で入力された内容に基づいて生成され、ＲＡＭ１３に格納されている。例えば、送信先入力処理（Ｓ１１）で入力されたファクシミリ番号を示すデータが、当該送信先データに該当する（図９参照）。
【００８６】
そして、日時データは、当該送信原稿６１に基づくファクシミリ送信に関する処理の日時を示すデータである。本実施形態の日時データは、「2007/12/12  12:35」のように、
当該ファクシミリ送信における１ページ目の送信原稿６１に基づく原稿データを読み取った日時を示す（図９参照）。上述したように、当該日時データは、原稿データ読取処理（Ｓ１２）においてＲＡＭ１３に格納される。
【００８７】
ページ番号データは、当該送信原稿６１に基づくファクシミリ送信において、現在対象となっている１ページ分の送信原稿６１が相手先に送信される順序を示すデータである。この点、セット原稿登録送信処理（Ｓ３）では、ＣＰＵ１１は、送信原稿６１から原稿データを読み取った順に、所定の送信相手先に送信する。従って、当該ページ番号データは、１ページ分の送信原稿６１をスキャナ部３で読み取った順序にも連動している。例えば、このファクシミリ送信に際し、最初に読み取られた送信原稿６１のページ番号データは、「ページ番号：１」を示す（図９参照）。又、原稿載置部２Ａに複数枚の送信原稿６１が載置されている場合、１ページ分の送信原稿６１に対する処理（Ｓ１２、Ｓ１３）を終了する毎に、当該ページ番号データが示す番号は、１ずつ順次加算される。
【００８８】
つまり、原稿データ読取処理（Ｓ１２）により、１ページ分の送信原稿６１に係る原稿データを送信ファクシミリデータ記憶エリア１３１に格納すると、ＣＰＵ１１は、当該送信原稿６１の無線タグ６２に、ＲＡＭ１３の記憶内容に基づく各データを識別データとして書き込む。具体的には、ＣＰＵ１１は、ＲＡＭ１３に格納されている送信先データ、日時データ、ページ番号データを、無線タグライタ１６により、当該送信原稿６１における無線タグ６２のＥＥＰＲＯＭ６２７に識別データとして書き込む。その結果、複数の送信原稿６１が存在する場合であれば、無線タグ６２に書き込まれる識別データのうち、送信先データ、日時データは全ての送信原稿６１の識別データに共通した内容であり、ページ番号データのみがページ順に従って更新されたものとなる。
【００８９】
Ｓ１４に移行すると、ＣＰＵ１１は、全ての送信原稿６１について、Ｓ１２、Ｓ１３の処理を完了したか否かを判断する。具体的には、ＣＰＵ１１は、原稿載置部２Ａ上に送信原稿６１が存在するか否かを判断する。すべての送信原稿６１に対する処理（Ｓ１２、Ｓ１３）を完了し、原稿載置部２Ａ上に送信原稿６１が存在しない場合（Ｓ１４：ＹＥＳ）、ＣＰＵ１１は、Ｓ１５に処理を移行する。一方、未だ全ての送信原稿６１に対する処理を完了しておらず、原稿載置部２Ａ上に送信原稿６１が存在する場合（Ｓ１４：ＮＯ）、ＣＰＵ１１は、Ｓ１２に処理を戻す。この場合、ＣＰＵ１１は、原稿載置部２Ａに存在する次ページの送信原稿６１に対する処理（Ｓ１２、Ｓ１３）を開始する。
【００９０】
Ｓ１５においては、ＣＰＵ１１は、送信履歴データ生成処理を実行する。この送信履歴データ生成処理（Ｓ１５）では、ＣＰＵ１１は、当該送信原稿６１のファクシミリ送信に関する送信履歴データを生成する。具体的には、ＣＰＵ１１は、ＲＡＭ１３に格納されている送信先データ、日時データ等に基づいて、送信履歴データを生成する。生成した送信履歴データを一旦ＲＡＭ１３に格納した後、ＣＰＵ１１は、Ｓ１６に処理を移行する。
【００９１】
ここで、送信履歴データは、送信先データ、日時データ、枚数データにより構成される（図１０参照）。送信履歴データを構成する送信先データ、日時データは、識別データ書込処理（Ｓ１３）で、当該送信原稿６１の無線タグ６２に書き込まれる識別データの送信先データ、日時データと同一内容を示す。そして、枚数データは、当該ファクシミリ送信で送信される送信原稿６１の枚数を示すデータである。具体的には、Ｓ１５に移行した時点におけるページ番号データが示す数値は、枚数データの値に相当する。従って、ＣＰＵ１１は、ＲＡＭ１３に格納されている送信先データ、日時データと、Ｓ１５移行時のページ番号データに基づく枚数データに基づいて、当該ファクシミリ送信に関する送信履歴データを生成する。
【００９２】
Ｓ１６に移行すると、ＣＰＵ１１は、原稿データ送信処理を実行する。原稿データ送信処理（Ｓ１６）においては、ＣＰＵ１１は、送信ファクシミリデータ記憶エリア１３１内の原稿データを、送信先入力処理（Ｓ１１）で指定された送信先にファクシミリ送信する。ここで、送信される原稿データは、Ｓ１２〜Ｓ１４の処理により読み取られた全ての送信原稿６１に基づく画像データである。当該原稿データは、一通信で送信先にファクシミリ送信される。原稿データ送信処理（Ｓ１６）を終了すると、ＣＰＵ１１は、Ｓ１７に処理を移行する。
【００９３】
Ｓ１７においては、ＣＰＵ１１は、送信履歴データ格納処理を実行する。この送信履歴データ格納処理（Ｓ１７）では、ＣＰＵ１１は、送信履歴データ生成処理（Ｓ１５）で生成された送信履歴データを送信履歴記憶エリア１４１に格納する。ＣＰＵ１１は、送信履歴データ生成処理（Ｓ１５）で生成された送信履歴データを、ＲＡＭ１３から読み出し、送信履歴記憶エリア１４１に、一のファクシミリ送信毎に格納する（図１０参照）。送信履歴記憶エリア１４１に送信履歴データを格納した後、ＣＰＵ１１は、セット原稿登録送信処理プログラムを終了する。
【００９４】
尚、本実施形態において、送信履歴記憶エリア１４１に格納された送信履歴データの内容は、ＬＣＤ１８に表示されるＦＡＸ送信履歴一覧画面（図１１参照）により参照することができる。
【００９５】
このセット原稿登録送信処理プログラムにより、一送信で送信された送信原稿６１は、一のセット原稿を構成する。そして、当該セット原稿とは別に、セット原稿登録送信処理プログラムで送信されたセット原稿とは、少なくとも識別データにおける日時データが相違する。従って、複数のセット原稿が混在してしまった場合であっても、無線タグ６２に書き込まれた識別データを参照することで、両セット原稿を構成する送信原稿６１を分別することができる。
【００９６】
ここで、本実施形態に係るファクシミリ装置１における「セット原稿確認送信モード」について説明する。「セット原稿確認送信モード」では、ＣＰＵ１１は、ファクシミリ送信の対象となる送信原稿６１がセット原稿登録送信処理プログラムに基づいて既に送信されたセット原稿と同一の構成（即ち、「送信原稿６１の組合せ）であるか否かを確認する。そして、当該セット原稿と同一の構成である場合に、ユーザ所望の相手先に対して、当該送信原稿６１に基づくファクシミリ送信を行う。
【００９７】
上述したように、この「セット原稿確認送信モード」の送信態様としては、「ページ順チェック」の有無に基づく２つの送信態様が存在する。即ち、「セット原稿確認送信モード」の一送信態様は、「ページ順チェック送信」である。この「ページ順チェック送信」では、ＣＰＵ１１は、送信対象となる送信原稿６１が先に送信されたセット原稿と同一の構成であり、且つ、送信対象である送信原稿６１が当該セット原稿のページ順に従って原稿データの読取及びファクシミリ送信されるかを確認して、所定の相手先にファクシミリ送信を行う。又、「セット原稿確認送信モード」の他の送信態様は、「ページ順非チェック送信」である。この「ページ順非チェック送信」では、ＣＰＵ１１は、送信対象となる送信原稿６１が先に送信されたセット原稿と同一の構成であるかを確認するが、上記ページ順に関する確認は行わずに、所定の相手先にファクシミリ送信を行う。
【００９８】
続いて、本実施形態に係るページ順チェック送信処理プログラムについて、図面を参照しつつ詳細に説明する。図１２は、ページ順チェック送信処理プログラムのフローチャートである。上述したように、ページ順チェック送信処理プログラムは、ページ順チェック送信処理（Ｓ６）で、ＣＰＵ１１により実行される。尚、このページ順チェック送信処理（Ｓ６）の説明においては、先にセット原稿登録処理（Ｓ３）で送信された送信原稿６１（即ち、セット原稿）を含む複数枚の原稿（以下、送信対象原稿という）が原稿載置部２Ａに載置されているものとする。
【００９９】
ページ順チェック送信処理（Ｓ６）に移行すると、ＣＰＵ１１は、先ず、送信先入力処理（Ｓ２１）を実行する。この送信先入力処理（Ｓ２１）は、Ｓ１１の処理と同一である。従って、送信先入力処理（Ｓ２１）に関する説明は省略する。送信先入力処理（Ｓ２１）を終了すると、ＣＰＵ１１は、Ｓ２２に処理を移行する。
【０１００】
Ｓ２２においては、ＣＰＵ１１は、セット原稿特定処理を実行する。このセット原稿特定処理（Ｓ２２）では、ＣＰＵ１１は、ページ順チェック送信処理（Ｓ６）による組合せ及びページ順に関する確認の対象となるセット原稿（以下、確認対象セット原稿という）を特定する。具体的には、ＣＰＵ１１は、送信対象原稿の１ページ目にあたる送信原稿６１から、スキャナ部３により原稿データを読み取る。ＣＰＵ１１は、スキャナ部３で読み取った原稿データを、送信ファクシミリデータ記憶エリア１３１に格納する。又、原稿データの読取と略同時に、ＣＰＵ１１は、無線タグリーダ１５によって、当該送信原稿６１の無線タグ６２から識別データを取得する。ＣＰＵ１１は、取得した識別データをＲＡＭ１３に格納する。送信対象原稿の１ページ目の送信原稿６１に係る識別データを取得することで、ＣＰＵ１１は、確認対象セット原稿を特定し得る。セット原稿特定処理（Ｓ２２）を終了すると、ＣＰＵ１１は、Ｓ２３に処理を移行する。
【０１０１】
Ｓ２３においては、ＣＰＵ１１は、取得した識別データのページ番号データに基づいて、セット原稿特定処理（Ｓ２２）の対象となった送信原稿６１が、確認対象セット原稿における最初のページに係る原稿であるか否かを判断する。即ち、ＣＰＵ１１は、セット原稿特定処理（Ｓ２２）で取得したページ番号データが「ページ番号：１」であるか否かに基づいて、Ｓ２３の判断を行う。確認対象セット原稿の１ページ目である場合（Ｓ２３：ＹＥＳ）、ＣＰＵ１１は、Ｓ２４に処理を移行する。一方、確認対象セット原稿の１ページ目ではない場合（Ｓ２３：ＮＯ）、ＣＰＵ１１は、Ｓ３３に処理を移行する。
【０１０２】
Ｓ２４においては、ＣＰＵ１１は、枚数データ取得処理を実行する。当該枚数データ取得処理（Ｓ２４）では、ＣＰＵ１１は、確認対象セット原稿に係る枚数データを送信履歴記憶エリア１４１から取得する。具体的には、ＣＰＵ１１は、セット原稿特定処理（Ｓ２２）で取得した識別データに基づいて、送信履歴記憶エリア１４１に格納されている送信履歴データから、確認対象セット原稿に関する送信履歴データを特定する。そして、ＣＰＵ１１は、確認対象セット原稿に係る送信履歴データを構成する枚数データを取得し、ＲＡＭ１３に格納する。これにより、ＣＰＵ１１は、確認対象セット原稿を構成する送信原稿６１の枚数を特定し得る。確認対象セット原稿に係る枚数データを取得した後、ＣＰＵ１１は、Ｓ２５に処理を移行する。
【０１０３】
Ｓ２５では、ＣＰＵ１１は、対象ページ原稿読取処理を実行する。この対象ページ原稿読取処理（Ｓ２５）において、ＣＰＵ１１は、原稿載置部２Ａに載置されている送信対象原稿のうち、次の１枚の送信原稿６１を対象ページ原稿とする。そして、ＣＰＵ１１は、当該対象ページ原稿から、スキャナ部３により原稿データを読み取る。その後、ＣＰＵ１１は、読み取った原稿データを送信ファクシミリデータ記憶エリア１３１に格納する。当該原稿データを格納し、対象ページ原稿読取処理（Ｓ２５）を終了すると、ＣＰＵ１１は、Ｓ２６に処理を移行する。
【０１０４】
Ｓ２６においては、ＣＰＵ１１は、識別データ取得処理を実行する。この識別データ取得処理（Ｓ２６）では、ＣＰＵ１１は、対象ページ原稿に付加されている無線タグ６２から、無線タグリーダ１５により識別データを取得する。取得した識別データをＲＡＭ１３に格納した後、ＣＰＵ１１は、識別データ取得処理（Ｓ２６）を終了する。識別データ取得処理（Ｓ２６）の終了に基づいて、ＣＰＵ１１は、Ｓ２７に処理を移行する。ここで、識別データ取得処理は、Ｓ２５において、対象ページ原稿を読み取り毎に実行される。従って、ＲＡＭ１３には、読み取った対象ページ原稿の枚数分の識別データが保持されることになる。
【０１０５】
Ｓ２７に移行すると、ＣＰＵ１１は、対象ページ原稿に係るページ番号データが対象ページ原稿の直前に取得された識別データのページ番号データと連続しているか否かを判断する。例えば、対象ページ原稿の直前に取得された識別データのページ番号データが「ページ番号：２」の場合、ＣＰＵ１１は、対象ページ原稿に係るページ番号データが「ページ番号：３」であるか否かを判断する。ページ番号が連続している場合（Ｓ２７：ＹＥＳ）、ＣＰＵ１１は、Ｓ２８に処理を移行する。一方、ページ番号が連続していない場合（Ｓ２７：ＮＯ）、ＣＰＵ１１は、Ｓ３３に処理を移行する。
【０１０６】
Ｓ２８では、ＣＰＵ１１は、対象ページ原稿が確認対象セット原稿を構成する送信原稿６１であるか否かを判断する。具体的には、ＣＰＵ１１は、対象ページ原稿の識別データにおける送信先データ及び日時データと、確認対象セット原稿に係る送信履歴データの送信先データ及び日時データを比較することで、Ｓ２８の判断を行う。上述したように、確認対象セット原稿に係る識別データにおける送信先データ及び日時データは、確認対象セット原稿に係る送信履歴データにおける送信先データ及び日時データと同一内容である。従って、送信先データと日時データの両者が一致している場合、当該対象ページ原稿は、確認対象セット原稿を構成する送信原稿６１となる。一方、送信先データと、日時データの何れか一方が一致していない場合、当該対象ページ原稿は、確認対象セット原稿を構成する送信原稿６１に該当しない結果となる。対象ページ原稿が確認対象セット原稿を構成する送信原稿６１に該当する場合（Ｓ２８：ＹＥＳ）、ＣＰＵ１１は、Ｓ２９に処理を移行する。一方、対象ページ原稿が確認対象セット原稿を構成する送信原稿６１に該当しない場合（Ｓ２８：ＮＯ）、ＣＰＵ１１は、Ｓ３４に処理を移行する。
【０１０７】
Ｓ２９に移行すると、ＣＰＵ１１は、一致回数加算処理を実行する。この一致回数加算処理（Ｓ２９）においては、ＣＰＵ１１は、送信対象原稿と、確認対象セット原稿とが一致した回数を示す一致回数カウンタの値に、「１」を加算する。ここで、一致回数とは、対象ページ原稿が確認対象セット原稿のページ順に従い（Ｓ２７：ＹＥＳ）、且つ、当該対象ページ原稿が確認対象セット原稿を構成する送信原稿６１に該当したこと（Ｓ２８：ＹＥＳ）を示す数値である。そして、一致回数カウンタは、ＲＡＭ１３に形成されている。一致回数カウンタの値に「１」を加算した後、ＣＰＵ１１は、一致回数加算処理（Ｓ２９）を終了し、Ｓ３０に処理を移行する。
【０１０８】
Ｓ３０では、ＣＰＵ１１は、一致回数カウンタの数値が送信履歴データから取得された確認対象セット原稿の枚数データの数値と一致するか否かを判断する。即ち、Ｓ３０では、ＣＰＵ１１は、送信対象原稿が確認対象セット原稿と同一の構成であるか否かを判断する。具体的には、ＣＰＵ１１は、確認対象セット原稿を構成する全ての送信原稿６１が送信対象原稿に正しいページ順で含まれているか否かを判断する。先のＳ２７でページの連続性が確認され、Ｓ２８において各対象ページ原稿が確認対象セット原稿を構成する送信原稿６１であると判断されているため、一致回数と枚数データの数値が一致する場合（Ｓ３０：ＹＥＳ）、ＣＰＵ１１は、送信原稿６１が確認対象セット原稿であると判断し、Ｓ３５に処理を移行する。一方、一致回数と枚数データの数値が一致しない場合（Ｓ３０：ＮＯ）、ＣＰＵ１１は、Ｓ３１に処理を移行する。
【０１０９】
Ｓ３１においては、ＣＰＵ１１は、送信対象原稿を構成する全ての送信原稿６１に対する処理（Ｓ２５〜Ｓ３０）を終了しているか否かを判断する。送信対象原稿全てについて処理を完了している場合（Ｓ３１：ＹＥＳ）、ＣＰＵ１１は、Ｓ３２に処理を移行する。一方、送信対象原稿を構成する全ての送信原稿６１に対する処理を完了していない場合（Ｓ３１：ＮＯ）、ＣＰＵ１１は、Ｓ２５に処理を戻す。この場合、ＣＰＵ１１は、送信対象原稿における次ページに係る送信原稿６１に対する処理（Ｓ２５〜Ｓ３０）を実行する。
【０１１０】
Ｓ３２に移行すると、ＣＰＵ１１は、エラー通知処理を実行する。ここで、Ｓ３２に移行する場合とは、確認対象セット原稿を構成する送信原稿６１が不足した状態で（Ｓ３０：ＮＯ）、送信対象原稿に対する処理を終了した場合である。この場合、送信対象原稿は、確認対象セット原稿を完全に再現できない。従って、当該エラー通知処理（Ｓ３２）では、ＣＰＵ１１は、確認対象セット原稿に対して、送信原稿６１が不足している旨を示すページ不足エラー通知画面をＬＣＤ１８に表示する。そして、ページ不足エラー通知画面をＬＣＤ１８に表示した後、ＣＰＵ１１は、送信ファクシミリデータ記憶エリア１３１に格納されている送信対象原稿に係る原稿データ及びＲＡＭ１３の記憶内容（例えば、識別データ等）を消去する。エラー通知処理（Ｓ３２）を終了すると、ＣＰＵ１１は、ページ順チェック送信処理プログラムを終了する。
【０１１１】
そして、Ｓ３３においては、ＣＰＵ１１は、エラー通知処理を実行する。このＳ３３は、送信対象原稿における最初の送信原稿６１のページ番号データが「ページ番号：１」でない場合（Ｓ２３：ＮＯ）、又は、対象ページ原稿に係るページ番号データが直前の対象ページ原稿のページ番号データと連続していない場合（Ｓ２７：ＮＯ）に実行される。つまり、エラー通知処理（Ｓ３３）は、送信対象原稿において、確認対象セット原稿を構成する送信原稿６１が確認対象セット原稿に係るページ順でない場合に実行される。具体的には、ＣＰＵ１１は、ページ順が誤っている旨を示すページ順エラー通知画面をＬＣＤ１８に表示する（図１４参照）。この場合も、ＣＰＵ１１は、現時点で送信ファクシミリデータ記憶エリア１３１に格納されている原稿データ及びＲＡＭ１３の記憶内容を消去する。エラー通知処理（Ｓ３３）を終了すると、ＣＰＵ１１は、ページ順チェック送信処理プログラムを終了する。
【０１１２】
Ｓ３４においては、ＣＰＵ１１は、エラー通知処理を実行する。このＳ３４は、対象ページ原稿が確認対象セット原稿を構成する送信原稿６１に該当しない場合（Ｓ２８：ＮＯ）に実行される。即ち、エラー通知処理（Ｓ３４）は、送信対象原稿に確認対象セット原稿と異なるセット原稿が含まれていた場合に実行される。具体的には、ＣＰＵ１１は、当該対象ページ原稿が確認対象セット原稿に該当しない旨を示す非セット原稿エラー通知画面をＬＣＤ１８に表示する（図１３参照）。そして、この場合についても、ＣＰＵ１１は、ＣＰＵ１１は、現時点で送信ファクシミリデータ記憶エリア１３１に格納されている原稿データ及びＲＡＭ１３の記憶内容を消去する。エラー通知処理（Ｓ３４）を終了すると、ＣＰＵ１１は、ページ順チェック送信処理プログラムを終了する。
【０１１３】
そして、Ｓ３５においては、ＣＰＵ１１は、原稿データ送信処理を実行する。この原稿データ送信処理（Ｓ３５）は、送信対象原稿において、確認対象セット原稿を構成する全ての送信原稿６１が当該確認対象セット原稿に係るページ順に従って読み取られた場合に実行される。即ち、原稿データ送信処理（Ｓ３５）では、ＣＰＵ１１は、当該確認対象セット原稿とページ順も含めて完全に一致する態様で、ファクシミリ送信を行う。具体的には、ＣＰＵ１１は、送信先入力処理（Ｓ２１）の入力に基づいて、送信相手先を発呼する。そして、ＣＰＵ１１は、送信ファクシミリデータ記憶エリア１３１内の原稿データを、当該送信相手先にファクシミリ送信する。原稿データ送信処理（Ｓ３５）を終了すると、ＣＰＵ１１は、ページ順チェック送信処理プログラムを終了する。
【０１１４】
これにより、当該ファクシミリ装置１は、ページ順チェック送信処理プログラムに基づいて、所定の相手先にファクシミリ送信を行うことにより、当該相手先に、確認対象セット原稿とページ順を含めて完全に一致する原稿データを送信し得る。
【０１１５】
次に、本実施形態に係るページ順非チェック送信処理プログラムについて、図面を参照しつつ詳細に説明する。図１５は、ページ順非チェック送信処理プログラムのフローチャートである。上述したように、ページ順非チェック送信処理（Ｓ７）で、ＣＰＵ１１により実行される。尚、このページ順非チェック送信処理（Ｓ７）の説明においても、送信対象原稿が原稿載置部２Ａに載置されているものとする。当該送信対象原稿には、先にセット原稿登録処理（Ｓ３）で送信されたセット原稿が含まれている。
【０１１６】
ページ順非チェック送信処理（Ｓ７）に移行すると、ＣＰＵ１１は、先ず、送信先入力処理（Ｓ４１）を実行する。この送信先入力処理（Ｓ４１）は、Ｓ１１、Ｓ２１の処理と同一である。従って、送信先入力処理（Ｓ４１）に関する説明は省略する。送信先入力処理（Ｓ４１）を終了すると、ＣＰＵ１１は、Ｓ４２に処理を移行する。
【０１１７】
Ｓ４２においては、ＣＰＵ１１は、セット原稿特定処理を実行する。このセット原稿特定処理（Ｓ４２）は、上述したセット原稿特定処理（Ｓ２２）と同一の処理である。即ち、ＣＰＵ１１は、先ず、送信対象原稿の１ページ目に係る送信原稿６１を対象ページ原稿とする。そして、ＣＰＵ１１は、当該対象ページ原稿から、原稿データを読み取り、送信ファクシミリデータ記憶エリア１３１に格納する。又、ＣＰＵ１１は、当該対象ページ原稿の無線タグ６２から識別データを取得し、当該識別データをＲＡＭ１３に格納する。そして、ＣＰＵ１１は、当該識別データに基づいて、確認対象セット原稿を特定する。セット原稿特定処理（Ｓ４２）を終了すると、ＣＰＵ１１は、Ｓ４３に処理を移行する。
【０１１８】
Ｓ４３では、ＣＰＵ１１は、枚数データ取得処理を実行する。この枚数データ取得処理（Ｓ４３）は、上述した枚数データ取得処理（Ｓ２４）と同一の処理である。枚数データ取得処理（Ｓ４３）終了後、ＣＰＵ１１は、Ｓ４４に処理を移行する。
【０１１９】
Ｓ４４においては、ＣＰＵ１１は、識別データ取得処理を実行する。この識別データ取得処理（Ｓ４４）では、ＣＰＵ１１は、先ず、送信対象原稿の次ページに係る送信原稿６１を対象ページ原稿とする。そして、ＣＰＵ１１は、当該対象ページ原稿の無線タグ６２から、無線タグリーダ１５によって識別データを取得し、ＲＡＭ１３に格納する。識別データ取得処理（Ｓ４４）を終了すると、ＣＰＵ１１は、Ｓ４５に処理を移行する。
【０１２０】
Ｓ４５に移行すると、ＣＰＵ１１は、識別データ取得処理（Ｓ４４）で取得した識別データに基づいて、当該対象ページ原稿が確認対象セット原稿に該当するか否かを判断する。具体的には、ＣＰＵ１１は、取得した識別データの送信先データ、日時データと、確認対象セット原稿に係る送信先データ、日時データとに基づいて、Ｓ４５の判断を行う。送信先データ及び日時データが一致し、当該対象ページ原稿が確認対象セット原稿に該当する場合（Ｓ４５：ＹＥＳ）、ＣＰＵ１１は、Ｓ４６に処理を移行する。一方、送信先データ、日時データの何れかが相違し、当該対象ページ原稿が確認対象セット原稿に該当しない場合（Ｓ４５：ＮＯ）、ＣＰＵ１１は、Ｓ４４に処理を戻す。この場合、ＣＰＵ１１は、送信対象原稿の内、更に次ページの送信原稿を対象ページ原稿とした処理を行う。尚、このとき、ＣＰＵ１１は、Ｓ４５において該当しないと判断された確認対象セット原稿以外の送信原稿６１に係る識別データをＲＡＭ１３から消去する。したがって、Ｓ４４の識別データ取得処理において取得される識別データは、Ｓ４５で確認対象セット原稿に該当すると判断された原稿の枚数に相当する数だけＲＡＭ１３に保持されることになる。
【０１２１】
Ｓ４６においては、ＣＰＵ１１は、対象ページ原稿読取処理を実行する。この対象ページ原稿読取処理（Ｓ４６）は、対象ページ原稿読取処理（Ｓ２５）と同一の処理である。即ち、ＣＰＵ１１は、スキャナ部３により、対象ページ原稿から原稿データを読み取り、送信ファクシミリデータ記憶エリア１３１に格納する。対象ページ原稿読取処理（Ｓ４６）を終了すると、ＣＰＵ１１は、Ｓ４７に処理を移行する。
【０１２２】
Ｓ４７では、ＣＰＵ１１は、一致回数加算処理を実行する。この一致回数加算処理では、ＣＰＵ１１は、一致回数カウンタの数値に「１」を加算する。この場合、の一致回数カウンタの数値は、送信対象原稿と、確認対象セット原稿が一致した回数を示す。一致回数加算処理（Ｓ４７）を終了すると、ＣＰＵ１１は、Ｓ４８に処理を移行する。
【０１２３】
Ｓ４８に移行すると、ＣＰＵ１１は、一致回数カウンタの数値が送信履歴から取得された確認対象セット原稿の枚数データの数値と一致するか否かを判断する。即ち、確認対象セット原稿を構成する送信原稿６１の全てを送信対象原稿から抽出したか否かを判断する。一致回数カウンタと枚数データの数値が一致する場合（Ｓ４８：ＹＥＳ）、ＣＰＵ１１は、Ｓ５０に処理を移行する。一方、一致回数カウンタと枚数データの数値が一致しない場合（Ｓ４８：ＮＯ）、ＣＰＵ１１は、Ｓ４９に処理を移行する。
【０１２４】
Ｓ４９においては、ＣＰＵ１１は、送信対象原稿を構成する全ての送信原稿６１に対する処理（Ｓ４４〜Ｓ４８）を終了しているか否かを判断する。送信対象原稿全てについて処理を完了している場合（Ｓ４９：ＹＥＳ）、ＣＰＵ１１は、Ｓ５０に処理を移行する。一方、送信対象原稿を構成する全ての送信原稿６１に対する処理を完了していない場合（Ｓ４９：ＮＯ）、ＣＰＵ１１は、Ｓ４４に処理を戻す。この場合、ＣＰＵ１１は、送信対象原稿の次ページに係る送信原稿６１に対する処理（Ｓ４４〜Ｓ４８）を実行する。
【０１２５】
Ｓ５０に移行すると、ＣＰＵ１１は、抽出結果通知処理を実行する。この抽出結果通知処理（Ｓ５０）では、ＣＰＵ１１は、送信対象原稿から確認対象セット原稿として抽出された送信原稿６１を、ＬＣＤ１８の表示によってユーザに通知する。上述したように、当該抽出結果通知処理（Ｓ５０）は、Ｓ４８から移行した場合と、Ｓ４９から移行した場合に実行される。
【０１２６】
確認対象セット原稿を構成する送信原稿６１の内、不足する送信原稿６１が存在する場合（Ｓ４８：ＮＯ、Ｓ４９：ＹＥＳ）、抽出結果通知処理（Ｓ５０）において、ＣＰＵ１１は、ページ不足エラー通知画面をＬＣＤ１８に表示する（図１６参照）。図１６に示すように、ＣＰＵ１１は、ページ不足エラー通知画面を通知する際に、確認対象セット原稿を構成する上で不足している送信原稿６１（以下、不足原稿という）を特定して通知する。ＣＰＵ１１は、当該確認対象セット原稿の枚数データと、セット原稿特定処理（Ｓ４２）及び識別データ取得処理（Ｓ４４）で取得されたページ番号データに基づいて、当該不足原稿のページ番号を特定する。抽出結果通知処理（Ｓ５０）を終了すると、ＣＰＵ１１は、Ｓ５１に処理を移行する。
【０１２７】
一方、送信対象原稿から確認対象セット原稿を構成する全ての送信原稿６１が抽出された場合（Ｓ４８：ＹＥＳ）、ＣＰＵ１１は、抽出結果通知処理（Ｓ５０）において、全ページ抽出画面をＬＣＤ１８に表示する（図１７参照）。全ページ抽出画面を表示する際に、ＣＰＵ１１は、抽出した確認対象セット原稿に係る送信原稿６１のページ番号を、抽出した順序（即ち、Ｓ４４〜Ｓ４９の処理を行った順序）に従って表示する。この場合も抽出結果通知処理（Ｓ５０）を終了すると、ＣＰＵ１１は、Ｓ５１に処理を移行する。
【０１２８】
Ｓ５１に移行すると、ＣＰＵ１１は、送信ファクシミリデータ記憶エリア１３１に格納されている原稿データを送信するか否かを判断する。具体的には、ＣＰＵ１１は、操作パネル１７からの操作信号に基づいて、Ｓ５１の判断を行う。当該原稿データのファクシミリ送信を行う場合（Ｓ５１：ＹＥＳ）、ＣＰＵ１１は、Ｓ５２に処理を移行する。一方、当該原稿データのファクシミリ送信を中止する場合（Ｓ５１：ＮＯ）、ＣＰＵ１１は、ページ順非チェック送信処理プログラムを終了する。この時、ＣＰＵ１１は、送信ファクシミリデータ記憶エリア１３１から当該原稿データを消去する。
【０１２９】
ここで、抽出結果通知処理（Ｓ５０）において、３つの選択肢がＬＣＤ１８に表示されている（図１６、図１７参照）。選択肢「ページ順編集送信」は、抽出された確認対象セット原稿に係る送信原稿６１の原稿データを、当該確認対象セット原稿に係るページ番号順に従ってファクシミリ送信する際に選択される。そして、選択肢「送信続行」は、抽出された確認対象セット原稿に係る送信原稿６１の原稿データを、処理（Ｓ４４〜Ｓ４９）が行われた順序で送信する際に選択される。一方、選択肢「キャンセル」は、送信ファクシミリデータ記憶エリア１３１に格納されている原稿データのファクシミリ送信を中止する際に選択される。
【０１３０】
即ち、ユーザによる操作パネル１７の操作によって、選択肢「ページ順編集送信」又は「送信続行」が選択された場合（Ｓ５１：ＹＥＳ）、ＣＰＵ１１は、Ｓ５２に処理を移行する。一方、ユーザの操作によって、選択肢「キャンセル」が選択された場合（Ｓ５１：ＮＯ）、ＣＰＵ１１は、当該原稿データを消去して、ページ順非チェック処理プログラムを終了する。
【０１３１】
Ｓ５２に移行すると、ＣＰＵ１１は、送信順序編集を実行するか否かを判断する。具体的には、ＣＰＵ１１は、操作パネル１７の操作信号に基づいて、選択肢「ページ順編集送信」が選択されたか否かを判断する。選択肢「ページ順編集送信」が選択されている場合（Ｓ５２：ＹＥＳ）、ＣＰＵ１１は、Ｓ５３に処理を移行する。一方、選択肢「送信続行」が選択されている場合（Ｓ５２：ＮＯ）、ＣＰＵ１１は、Ｓ５４に処理を移行する。
【０１３２】
Ｓ５３においては、ＣＰＵ１１は、送信順序編集処理を実行する。この送信順序編集処理（Ｓ５３）では、ＣＰＵ１１は、Ｓ４２〜Ｓ４９の処理により１ページ単位で格納されている原稿データの送信順序を、確認対象セット原稿として抽出された送信原稿６１のページ番号の順序に従った態様に編集する。上述したように、ＣＰＵ１１は、一の送信原稿６１に対する原稿データの読取と、識別データの取得を連動して行う（Ｓ４２、Ｓ４４〜Ｓ４６）。従って、送信ファクシミリデータ記憶エリア１３１に格納されている原稿データの順序は、ＲＡＭ１３に格納されている確認対象セット原稿の各ページから取得された識別データの順序と一致する。そして、当該識別データには、確認対象セット原稿におけるページ番号データが含まれている。これにより、ＣＰＵ１１は、ＲＡＭ１３に格納されているページ番号データを参照することにより、送信ファクシミリデータ記憶エリア１３１内の原稿データの読出順序及び送信順序をページ番号に従った順序に設定し得る。当該確認対象セット原稿のページ番号順に、原稿データの送信順序を編集した後、ＣＰＵ１１は、Ｓ５４に処理を移行する。
【０１３３】
Ｓ５４においては、ＣＰＵ１１は、原稿データ送信処理を実行する。この原稿データ送信処理（Ｓ５４）では、ＣＰＵ１１は、送信ファクシミリデータ記憶エリア１３１に格納されている原稿データを所定の送信先にファクシミリ送信する。具体的には、ＣＰＵ１１は、先ず、送信先入力処理（Ｓ４１）の入力内容に従って、相手先にダイヤルする。その後、ＣＰＵ１１は、送信ファクシミリデータ記憶エリア１３１に格納されている原稿データをファクシミリ送信する。このとき、選択肢「送信続行」が選択されている場合（Ｓ５２：ＮＯ）、ＣＰＵ１１は、処理（Ｓ４２〜Ｓ４９）を行った順番に従って、当該原稿データをファクシミリ送信する。一方、送信順序編集処理（Ｓ５３）後に原稿データ送信処理（Ｓ５４）に移行した場合、ＣＰＵ１１は、送信順序編集処理（Ｓ５３）で編集された順序（即ち、確認対象セット原稿のページ番号順）に従って、当該原稿データをファクシミリ送信する。所望の送信先に対する原稿データのファクシミリ送信を終了すると、ＣＰＵ１１は、ページ順非チェック送信処理プログラムを終了する。
【０１３４】
以上説明したように、本実施形態に係るファクシミリ装置１は、送信対象原稿を構成する無線タグ６２から識別データを取得し（Ｓ２２、Ｓ２６、Ｓ４２、Ｓ４４）、当該識別データに基づいて、対象ページ原稿が確認対象セット原稿（本実施形態においては、既にどこかの相手先に一送信で送信された原稿の組合せ）に該当するか否かを判断する（Ｓ２８、Ｓ４８）。そして、ファクシミリ装置１は、送信対象原稿において、当該確認対象セット原稿を構成する全ての送信原稿６１が抽出された場合（Ｓ２８３０：ＹＥＳ、Ｓ４８：ＹＥＳ）、確認対象セット原稿と同一内容の原稿データを所望の相手先にファクシミリ送信する（Ｓ３５、Ｓ５４）。従って、ファクシミリ装置１は、送信対象原稿が確認対象セット原稿と同一の組合せか否かをユーザ自ら判断する作業を省略し得る。即ち、ファクシミリ装置１は、確認対象セット原稿をファクシミリ送信する場合、ユーザの作業負担を軽減することができる。又、確認対象セット原稿を構成する全ての送信原稿６１が抽出された場合、ファクシミリ装置１は、自動的に原稿データを所望の相手先に送信する。従って、ファクシミリ装置１は、ユーザに再度の送信作業を強いることなく、確認対象セット原稿に対応する原稿データを送信し得る。
【０１３５】
又、当該ファクシミリ装置１は、セット原稿登録処理（Ｓ３）により原稿を一通信で送信される全送信原稿６１の無線タグ６２に識別データを書き込む（Ｓ１３）。ここで、先に一送信で送信されたセット原稿を再度送信する場合は、当該セット原稿と他の原稿が送信対象原稿に混在しやすい状況や、セット原稿の各原稿が別々に管理されている状況が想定される。当該ファクシミリ装置１は、この場合においても、送信対象原稿が確認対象セット原稿と同一であるか否かを判断するので、送信対象原稿の内容を精査する作業に関するユーザの負担を軽減し得る。又、この場合も、送信対象原稿が確認対象セット原稿と同一であれば、当該送信対象原稿に基づく原稿データを送信するので、ファクシミリ装置１は、再度の送信作業等を要求することなく、先に送信された確認対象セット原稿と同一内容を所望の相手先に送信し得る。
【０１３６】
そして、ファクシミリ装置１は、セット原稿登録送信処理（Ｓ３）により一通信で送信する毎に、送信先データ、日時データを送信履歴データとして、送信履歴記憶エリア１４１に格納する。又、当該ファクシミリ装置１は、当該セット原稿を構成する送信原稿６１の無線タグ６２に、同一内容の送信先データ、日時データを書き込む（Ｓ１３）。そして、ファクシミリ装置１は、これらの送信先データ、日時データに基づいて、送信対象原稿が確認対象セット原稿に該当するか否かを判断する。従って、当該ファクシミリ装置１は、送信対象原稿が確認対象セット原稿と同一であるかを、高い精度で確実に識別し得る。
【０１３７】
又、ファクシミリ装置１は、一致回数カウンタの数値と当該確認対象セット原稿の枚数データの数値が一致しない場合（Ｓ３０：ＮＯ、Ｓ３１：ＹＥＳ、Ｓ４８：ＮＯ、Ｓ４９：ＹＥＳ）、送信対象原稿と確認対象セット原稿が同一でないと判断し、確認対象セット原稿を構成する送信原稿６１が不足している旨をユーザに通知する（Ｓ３２、Ｓ５０）。従って、ユーザは、当該通知に基づいて、適切な対応（例えば、確認対象セット原稿を構成すべき不足原稿の追加等）をとり得る。この結果、当該ファクシミリ装置１は、ユーザの意図が反映されていないファクシミリ送信を防止し得る。
【０１３８】
そして、ファクシミリ装置１は、ページ順チェック送信処理（Ｓ６）において、送信対象原稿が確認対象セット原稿における送信原稿６１の組合せ及び順序が完全に一致した場合（Ｓ２７〜Ｓ３０）に、当該送信対象原稿に基づく原稿データをファクシミリ送信する。従って、ファクシミリ装置１は、所望の相手先に対して、確実に確認対象セット原稿と同一内容のファクシミリ送信を行い得る。
【０１３９】
又、ファクシミリ装置１は、セット原稿登録送信処理（Ｓ３）により一通信で送信する毎に、セット原稿を構成する送信原稿６１の無線タグ６２に、夫々ページ番号データを識別データとして書き込む（Ｓ１３）。このとき、当該ファクシミリ装置１は、当該セット原稿に関する枚数データを送信履歴データとして、送信履歴記憶エリア１４１に格納する。そして、当該ファクシミリ装置１は、ページ順チェック送信処理（Ｓ６）において、確認対象セット原稿のページ順が連続している場合（Ｓ２７：ＹＥＳ）に、当該送信対象原稿からの原稿データの読取を継続する（Ｓ２８〜Ｓ３１）。そして、送信対象原稿に他の原稿が含まれていた場合やページ順序が不連続であった場合（Ｓ２７：ＮＯ）、当該通信装置は、その時点で原稿データの読取を停止する（Ｓ３３）。この結果、ユーザは、原稿データの読取停止に基づいて、先に送信された確認対象セット原稿と同じ態様で送信できないことを把握し得る。そして、ユーザは、当該把握に基づいて、適切な措置を講じることができる。
【０１４０】
又、ファクシミリ装置１は、ページ順非チェック送信処理（Ｓ７）において、送信対象原稿が先に一通信で送信された確認対象セット原稿に該当する場合（Ｓ４５）、無線タグ６２から取得されたページ番号データと、確認対象セット原稿の枚数データに基づいて、当該送信対象原稿が確認対象セット原稿を構成する送信原稿６１を含むか否かを検出する（Ｓ４８）。そして、当該ファクシミリ装置１は、当該送信対象原稿が確認対象セット原稿を構成する全ての送信原稿６１を含んでいる場合に、原稿データを送信する（Ｓ５３）。即ち、当該ファクシミリ装置１は、ページ順非チェック送信処理（Ｓ７）により、確認対象セット原稿のページ順を考慮することなく、送信対象原稿を原稿載置部２Ａに載置した場合であっても、確認対象セット原稿と同一内容の情報を含む原稿データを送信し得る。つまり、当該ファクシミリ装置１は、送信対象原稿を載置する際における確認作業を省略し得る。
【０１４１】
そして、ファクシミリ装置１は、ページ順非チェック送信処理（Ｓ７）において、選択肢「ページ順編集送信」の選択操作が行われると（Ｓ５２：ＹＥＳ）、送信順序編集処理（Ｓ５３）を実行する。これにより、送信対象原稿に基づく原稿データの送信順序は、無線タグ６２から取得されたページ番号に基づいて、確認対象セット原稿のページ順に従った順序に編集される。そして、ファクシミリ装置１は、送信順序編集処理（Ｓ５３）で編集された順序で、当該原稿データを所定の相手先に送信する（Ｓ５４）。従って、ファクシミリ装置１は、確認対象セット原稿のページ順を考慮することなく、送信対象原稿を原稿載置部２Ａに載置した場合であっても、セット原稿登録送信処理（Ｓ３）による送信時と同じ順序で、同一内容の原稿データを送信し得る。
【０１４２】
又、ファクシミリ装置１は、ページ順非チェック送信処理（Ｓ７）において、確認対象セット原稿を構成する送信原稿６１の内、送信対象原稿に含まれていない送信原稿６１が存在する場合（Ｓ４８：ＮＯ、Ｓ４９：ＹＥＳ）、ページ不足エラー通知画面（図１６参照）をＬＣＤ１８に表示する（Ｓ５０）。従って、ユーザは、送信対象原稿において、確認対象セット原稿を構成するためには、不足する送信原稿６１が存在することを把握し得る。又、図１６に示すように、ページ番号エラー通知画面においては、不足している送信原稿６１のページ番号が表示される。従って、ユーザは、この結果、ユーザは、不足する送信原稿６１の追加等の適切な措置を容易に行い得る。
【０１４３】
そして、ファクシミリ装置１は、ページ順非チェック送信処理（Ｓ７）において、送信対象原稿に確認対象セット原稿以外の原稿が含まれていた場合（Ｓ４５：ＮＯ）、対象ページ原稿読取処理（Ｓ４５）を実行することなく、次ページの送信原稿６１に対する処理（Ｓ４４〜Ｓ４９）を開始する。即ち、確認対象セット原稿以外の原稿に基づく原稿データは、送信ファクシミリデータ記憶エリア１３１に格納されることはなく、ファクシミリ送信の対象となることもない。これにより、当該ファクシミリ装置１は、確認対象セット原稿以外の送信原稿６１に基づく情報が意図せずに第三者に送信されることを防止でき、適切な情報管理を行い得る。
【０１４４】
更に、ファクシミリ装置１は、ページ順チェック送信処理（Ｓ６）、ページ順非チェック送信処理（Ｓ７）において、識別データの取得（Ｓ４４等）と、原稿データの読取（Ｓ４６等）を連動して実行する。従って、識別データに基づく判断終了と略同時に原稿データの読取を完了することができる。この結果、当該ファクシミリ装置１は、識別データに基づく判断が原稿データの送信を許可するものであれば、当該原稿データの送信を即座に行い得る。つまり、当該ファクシミリ装置１は、送信作業に要する時間を短縮することができ、更に、原稿データの送信に関する作業効率を向上させ得る。
【０１４５】
更に、ファクシミリ装置１は、ページ順チェック送信処理（Ｓ６）、ページ順非チェック送信処理（Ｓ７）において、ＬＣＤ１８の表示等により、原稿データの送信の是非をユーザに確認する（例えば、図１６、図１７参照）。従って、当該ファクシミリ装置１は、ユーザが意図せず、原稿データを送信してしまうことを防止し得る。
【０１４６】
以上、実施形態に基づき本発明を説明したが、本発明は上述した実施形態に何ら限定されるものではなく、本発明の趣旨を逸脱しない範囲内で種々の改良変更が可能である。
例えば、本実施形態においては、セット原稿登録送信処理（Ｓ３）に基づいて送信した送信原稿６１を「セット原稿」とし、無線タグ６２に識別データを書き込むように構成していたが、この構成に限定するものではない。例えば、ファクシミリ送信の対象である送信原稿６１を作成する際に、ユーザが、識別データを無線タグ６２に書き込むように構成することも可能である。この場合も、識別データとして、送信先データ、日時データ、ページ番号データを無線タグ６２に書き込むことが望ましい。
【０１４７】
又、本実施形態においては、送信対象原稿が確認対象セット原稿に該当するか否かを「送信先データ」及び「日時データ」の同一性に基づいて判断していたが、この態様に限定するものではない。例えば、「日時データ」の同一性のみに基づいて、上記判断を行うように構成することも可能である。
そして、送信対象原稿が確認対象セット原稿に該当するか否かの判断は、「識別データの内容」に基づいて判断することができればよい。即ち、「送信先データ」や「日時データ」に限らず、一の確認対象セット原稿を特定し得るデータであれば、当該判断に用いるデータとして用いることも可能である。
【０１４８】
更に、本実施形態においては、確認対象セット原稿は、送信対象原稿の１ページ目にあたる送信原稿６１から取得した識別データに基づいて特定していたが、この態様に限定するものではない。例えば、ＦＡＸ送信履歴一覧表示画面から、ユーザが任意に選択したものを確認対象セット原稿としてもよい。又、ユーザが操作パネル１７を用いて任意に設定した条件（例えば、送信先や日時等）に基づいて、確認対象セット原稿を特定してもよい。
又、本実施形態では、一通信で送信されたセット原稿を再度ファクシミリ送信する場合について説明したが、一通信で送信されたセット原稿をコピーする場合に、上記の無線タグに書き込まれている識別データを利用してもよい。この場合、図１２におけるＳ３５、及び図１５におけるＳ５４の送信処理が、レーザプリンタ３０による記録処理に変更される。さらに言えば、Ｓ３のセット原稿登録送信処理では、ファクシミリ送信の一通信で扱われた原稿に対して、それを識別できる識別データを原稿の無線タグに書き込む処理を行った。これに対し、一まとまりの原稿として複写された原稿を識別できる識別データを原本となる原稿に書き込んでおき、再度同じまとまりの原稿を揃えて複写したい場合に、前回と同じ原稿のまとまりであるかを判別する際に、原本の無線タグに書き込まれている識別データを利用してもよい。
【図面の簡単な説明】
【０１４９】
【図１】本実施形態に係るファクシミリ装置の模式的な断面図である。
【図２】ファクシミリ装置の制御系構成を示すブロック図である。
【図３】ファクシミリ装置に用いられる送信原稿の説明図である。
【図４】送信原稿に付加されている無線タグの構成を示すブロック図である。
【図５】無線タグリーダ及び無線タグライタの構成を示すブロック図である。
【図６】本実施形態に係るメイン制御プログラムのフローチャートである。
【図７】送信モード設定画面の一表示例を示す説明図である。
【図８】セット原稿登録送信処理プログラムのフローチャートである。
【図９】無線タグに書き込まれた識別データの構成に関する説明図である。
【図１０】送信履歴記憶エリア内の送信履歴データに関する説明図である。
【図１１】ＦＡＸ送信履歴一覧画面の一表示例を示す説明図である。
【図１２】ページ順チェック送信処理プログラムのフローチャートである。
【図１３】エラー通知画面（非セット原稿エラー通知画面）の一表示例を示す説明図である。
【図１４】エラー通知画面（ページ順エラー通知画面）の一表示例を示す説明図である。
【図１５】ページ順非チェック送信プログラムのフローチャートである。
【図１６】抽出結果通知画面（全ページ抽出画面）の一表示例を示す説明図である。
【図１７】抽出結果通知画面（ページ不足エラー通知画面）の一表示例を示す説明図である。
【符号の説明】
【０１５０】
１      ファクシミリ装置
３      スキャナ部
１１    ＣＰＵ
１２    ＲＯＭ
１３    ＲＡＭ
１４    フラッシュメモリ
１５    無線タグリーダ
１６    無線タグライタ
１７    操作パネル
１９    ＮＣＵ
２０    モデム
２２    スキャナ装置
６１    送信原稿
６２    無線タグ
１４１  送信履歴記憶エリア 
【図１】
0004557011.tif 000002
【図２】
0004557011.tif 000003
【図３】
0004557011.tif 000004
【図４】
0004557011.tif 000005
【図５】
0004557011.tif 000006
【図６】
0004557011.tif 000007
【図７】
0004557011.tif 000008
【図８】
0004557011.tif 000009
【図９】
0004557011.tif 000010
【図１０】
0004557011.tif 000011
【図１１】
0004557011.tif 000012
【図１２】
0004557011.tif 000013
【図１３】
0004557011.tif 000014
【図１４】
0004557011.tif 000015
【図１５】
0004557011.tif 000016
【図１６】
0004557011.tif 000017
【図１７】
0004557011.tif 000018